(57)【要約】【課題】他の無線接続装置に設定されている無線通信に関する設定情報を複製することが可能な無線接続装置において、無線端末を利用した案内を提供する。【解決手段】無線接続装置は、無線接続装置に予め設定されている無線通信に関する設定情報を用いて、無線接続装置を、第１の無線通信のアクセスポイントとして、第１の無線通信のクライアントとしての無線端末に接続させるための第１の接続制御部と、無線接続装置を、第２の無線通信のクライアントとして、第２の無線通信のアクセスポイントとしての他の無線接続装置に接続させるための第２の接続制御部と、第２の無線通信を介して、他の無線接続装置に設定されている無線通信に関する設定情報を取得する取得部と、取得された設定情報を、無線接続装置に予め設定されている設定情報とは区別して記憶する記憶部と、第１の無線通信を介して、取得に関する案内を無線端末へ送信する案内部と、を備える。【選択図】図１
2018042290.tif 000002
【特許請求の範囲】
【請求項１】
無線接続装置と、無線端末と、他の無線接続装置と、を備えるネットワークシステムにおいて、前記無線端末を利用して、前記無線接続装置に対して前記他の無線接続装置の無線通信に関する設定を複製するネットワークシステムであって、
前記無線端末は、
前記無線端末を第１の無線通信のクライアントとして前記無線接続装置へ接続させるための子機接続制御部と、
表示部と、を備え、
前記他の無線接続装置は、
前記他の無線接続装置を第２の無線通信のアクセスポイントとして前記無線接続装置へ接続させるための親機接続制御部と、
前記他の無線接続装置に前記第２の無線通信のクライアントとして接続されている装置に対して、無線通信に関する設定情報を送信することで前記クライアントへの無線通信の設定を実施する設定処理部を備え、
前記無線接続装置は、
前記無線接続装置に予め設定されている無線通信に関する設定情報を用いて、前記無線接続装置を、前記第１の無線通信のアクセスポイントとして、前記第１の無線通信のクライアントとしての前記無線端末に接続させるための第１の接続制御部と、
前記無線接続装置を、前記第２の無線通信のクライアントとして、前記第２の無線通信のアクセスポイントとしての他の無線接続装置に接続させるための第２の接続制御部と、
前記第２の無線通信を介して、前記他の無線接続装置に設定されている前記設定情報を取得する取得部と、
前記取得された設定情報を、前記無線接続装置に予め設定されている前記設定情報とは区別して記憶する記憶部と、
前記第１の無線通信を介して、前記取得に関する案内であって、前記無線端末の前記表示部に表示させるための案内を、前記無線端末に対して送信する案内部と、を備える、ネットワークシステム。
【請求項２】
無線接続装置であって、
前記無線接続装置に予め設定されている無線通信に関する設定情報を用いて、前記無線接続装置を、第１の無線通信のアクセスポイントとして、前記第１の無線通信のクライアントとしての無線端末に接続させるための第１の接続制御部と、
前記無線接続装置を、第２の無線通信のクライアントとして、前記第２の無線通信のアクセスポイントとしての他の無線接続装置に接続させるための第２の接続制御部と、
前記第２の無線通信を介して、前記他の無線接続装置に設定されている無線通信に関する設定情報を取得する取得部と、
前記取得された設定情報を、前記無線接続装置に予め設定されている前記設定情報とは区別して記憶する記憶部と、
前記第１の無線通信を介して、前記取得に関する案内を前記無線端末へ送信する案内部と、
を備える、無線接続装置。
【請求項３】
請求項２に記載の無線接続装置であって、
前記第１の接続制御部は、所定のトリガに応じて特殊な無線標識を発信することで、前記無線端末による前記第１の無線通信への前記接続を誘導する、無線接続装置。
【請求項４】
請求項２または請求項３に記載の無線接続装置であって、
前記案内部は、前記無線端末から受信した任意のインターネット接続要求に対して、アドレスを差し替えた応答を返すことによって、前記案内の送信を開始する、無線接続装置。
【請求項５】
請求項２から請求項４のいずれか一項に記載の無線接続装置であって、
前記取得部は、前記他の無線接続装置が対応している全ての周波数帯の前記設定情報を一時に取得する、無線接続装置。
【請求項６】
請求項２から請求項４のいずれか一項に記載の無線接続装置であって、
前記取得部は、前記他の無線接続装置が対応している複数の周波数帯の前記設定情報を順次取得する、無線接続装置。
【請求項７】
請求項６に記載の無線接続装置であって、さらに、
前記他の無線接続装置から発信される無線標識に基づいて、前記他の無線接続装置が対応している前記周波数帯を検出する検出部を備える、無線接続装置。
【請求項８】
請求項６または請求項７のいずれか一項に記載の無線接続装置であって、
前記第２の接続制御部は、前記第２の無線通信への前記接続の際に、前記取得部が前記設定情報を取得する周波数帯を使用する、無線接続装置。
【請求項９】
請求項２から請求項８のいずれか一項に記載の無線接続装置であって、
前記案内部は、前記取得に関する対話型の案内を順次送信する、無線接続装置。
【請求項１０】
請求項２から請求項９のいずれか一項に記載の無線接続装置であって、
前記案内部は、さらに、前記第１の無線通信を介して、前記無線端末から前記他の無線接続装置による認証のための認証情報を取得し、
前記取得部は、さらに、前記取得された認証情報を用いて、前記他の無線接続装置から、前記他の無線接続装置に設定されている前記無線通信に関する設定情報以外の他の設定情報を取得する、無線接続装置。
【請求項１１】
請求項２から請求項１０のいずれか一項に記載の無線接続装置であって、
前記取得部は、さらに、前記他の無線接続装置のセキュリティに関する設定内容に応じて、前記他の無線接続装置が対応している全ての周波数帯の前記設定情報を一時に取得するか、前記他の無線接続装置が対応している複数の周波数帯の前記設定情報を順次取得するかを決定する、無線接続装置。
【請求項１２】
請求項２から請求項１１のいずれか一項に記載の無線接続装置であって、
前記第２の接続制御部は、利用者が前記無線接続装置に直接触れる形態または近距離無線通信の形態で与えられる所定のトリガに応じて、前記無線接続装置を、第２の無線通信のクライアントとして前記他の無線接続装置に接続させる、無線接続装置。
【請求項１３】
請求項２から請求項１２のいずれか一項に記載の無線接続装置であって、
前記無線接続装置は、前記取得部による前記設定情報の取得が終了した後に、前記取得された設定情報を用いてアクセスポイントとして起動する、無線接続装置。
【請求項１４】
請求項１３に記載の無線接続装置であって、
前記無線接続装置は、前記他の無線接続装置のセキュリティに関する設定内容に応じて、前記取得された設定情報の前記記憶部への記憶と、前記取得された設定情報を用いた起動と、のうちの少なくともいずれか一方を省略する、無線接続装置。
【請求項１５】
請求項２から請求項１２のいずれか一項に記載の無線接続装置であって、
前記無線接続装置は、前記取得部による前記設定情報の取得が完了した後であって、前記無線接続装置の電源が再投入されるまでの間における、無線標識の発信と、前記他の無線接続装置や前記無線端末からの問い合わせに基づく処理と、前記他の無線接続装置や前記無線端末からの接続要求に基づく処理と、のうちの少なくともいずれかを停止する、無線接続装置。
【請求項１６】
無線通信に関する設定情報を複製する方法であって、
無線接続装置に予め設定されている無線通信に関する設定情報を用いて、前記無線接続装置を、第１の無線通信のアクセスポイントとして、前記第１の無線通信のクライアントとしての無線端末に接続させる工程と、
前記無線接続装置を、第２の無線通信のクライアントとして、前記第２の無線通信のアクセスポイントとしての他の無線接続装置に接続させる工程と、
前記第２の無線通信を介して、前記他の無線接続装置に設定されている無線通信に関する設定情報を取得する工程と、
前記取得された設定情報を、前記無線接続装置に予め設定されている前記設定情報とは区別して記憶する工程と、
前記第１の無線通信を介して、前記取得に関する案内を前記無線端末へ送信する工程と、
を備える、方法。
【発明の詳細な説明】
【技術分野】
【０００１】
本発明は、無線接続装置に関する。
【背景技術】
【０００２】
アクセスポイント等の無線接続装置において、既存の無線接続装置から、新しい無線接続装置への置き換えを行う場合、既存の無線接続装置に設定されている無線通信に関する設定情報を、新しい無線接続装置へ複製する。また、このような複製についての案内を、無線接続装置に接続された無線端末を利用して実施させれば、ユーザビリティ―を向上することができる。しかし、既存の無線接続装置から新しい無線接続装置へと無線通信に関する設定情報の複製が行われた後においては、一般的に、同じ設定情報を持つ２つの無線接続装置が、同時に起動した状態となる。このような状態においては、無線端末は、どちらの無線接続装置へ接続すればよいか分からず、新しい無線接続装置は、無線端末に対する設定情報の複製の案内を正しく行えないという問題があった。
【０００３】
特許文献１には、無線端末から見て接続が可能な複数の無線基地局が存在する環境において、無線端末と意図する無線基地局とを正しく接続させることのできる技術が記載されている。特許文献２には、ユーザ端末が、アクセスポイントから受信する２種類のビーコンフレームに基づいて、現行アクセスポイントの通信品質と隣接アクセスポイントの通信品質とを比較し、ハンドオフの実行を決定する方法が記載されている。特許文献３には、印刷装置から追加プリンタへ、ＥＳＳＩＤの送付および設定を行うことができる無線ネットワークアダプタが記載されている。
【先行技術文献】
【特許文献】
【０００４】
【特許文献１】特開２００６−１９９９４号公報
【特許文献２】特開２００８−７９３０６号公報
【特許文献３】特開２００３−１６３６６８号公報
【発明の概要】
【発明が解決しようとする課題】
【０００５】
特許文献１、２に記載の技術では、複数の無線接続装置間において、無線通信に関する設定情報を複製することについては考慮されていない。また、特許文献３に記載の技術では、設定情報の複製の案内を無線端末に対して実施することについては考慮されていない。
【０００６】
このため、他の無線接続装置に設定されている無線通信に関する設定情報を複製することが可能な無線接続装置において、無線端末を利用した案内を提供することが望まれていた。
【課題を解決するための手段】
【０００７】
本発明は、上述の課題の少なくとも一部を解決するためになされたものであり、以下の形態又は適用例として実現することが可能である。
【０００８】
（１）本発明の一形態によれば、無線端末を利用して、前記無線接続装置に対して他の無線接続装置の無線通信に関する設定を複製するネットワークシステムが提供される。このネットワークシステムは；前記無線接続装置と；前記無線端末と；前記他の無線接続装置と、を備え；前記無線端末は；前記無線端末を第１の無線通信のクライアントとして前記無線接続装置へ接続させるための子機接続制御部と；表示部と、を備え；前記他の無線接続装置は；前記他の無線接続装置を第２の無線通信のアクセスポイントとして前記無線接続装置へ接続させるための親機接続制御部と；前記他の無線接続装置に前記第２の無線通信のクライアントとして接続されている装置に対して、無線通信に関する設定情報を送信することで前記クライアントへの無線通信の設定を実施する設定処理部を備え；前記無線接続装置は；前記無線接続装置に予め設定されている無線通信に関する設定情報を用いて、前記無線接続装置を、前記第１の無線通信のアクセスポイントとして、前記第１の無線通信のクライアントとしての前記無線端末に接続させるための第１の接続制御部と；前記無線接続装置を、前記第２の無線通信のクライアントとして、前記第２の無線通信のアクセスポイントとしての他の無線接続装置に接続させるための第２の接続制御部と；前記第２の無線通信を介して、前記他の無線接続装置に設定されている前記設定情報を取得する取得部と；前記取得された設定情報を、前記無線接続装置に予め設定されている前記設定情報とは区別して記憶する記憶部と；前記第１の無線通信を介して、前記取得に関する案内であって、前記無線端末の前記表示部に表示させるための案内を、前記無線端末に対して送信する案内部と、を備える。この形態のネットワークシステムによれば、無線接続装置の取得部は、無線接続装置と他の無線接続装置との間の第２の無線通信を介して、他の無線接続装置に設定されている無線通信に関する設定情報を取得し、無線接続装置の案内部は、無線接続装置と無線端末との間の第１の無線通信を介して、無線端末に対する案内を送信する。また、取得された他の無線接続装置の設定情報は、無線接続装置に予め設定されている無線通信に関する設定情報とは区別して記憶される。このため、無線接続装置は、他の無線接続装置から無線通信に関する設定情報を取得する前後において、一貫して、無線端末に対する案内に使用される第１の無線通信用の設定情報（無線接続装置に予め設定されている無線通信に関する設定情報）を維持することができる。従って、他の無線接続装置に設定されている無線通信に関する設定情報を複製することが可能な無線接続装置と、無線端末とを備えるネットワークシステムにおいて、無線端末を利用した案内を提供することができる。
【０００９】
（２）本発明の一形態によれば、無線接続装置が提供される。この無線接続装置は；前記無線接続装置に予め設定されている無線通信に関する設定情報を用いて、前記無線接続装置を、第１の無線通信のアクセスポイントとして、前記第１の無線通信のクライアントとしての無線端末に接続させるための第１の接続制御部と；前記無線接続装置を、第２の無線通信のクライアントとして、前記第２の無線通信のアクセスポイントとしての他の無線接続装置に接続させるための第２の接続制御部と；前記第２の無線通信を介して、前記他の無線接続装置に設定されている無線通信に関する設定情報を取得する取得部と；前記取得された設定情報を、前記無線接続装置に予め設定されている前記設定情報とは区別して記憶する記憶部と；前記第１の無線通信を介して、前記取得に関する案内を前記無線端末へ送信する案内部と、を備える。この形態の無線接続装置によれば、取得部は、無線接続装置と他の無線接続装置との間の第２の無線通信を介して、他の無線接続装置に設定されている無線通信に関する設定情報を取得し、案内部は、無線接続装置と無線端末との間の第１の無線通信を介して、無線端末に対する案内を送信する。また、取得された他の無線接続装置の設定情報は、無線接続装置に予め設定されている無線通信に関する設定情報とは区別して記憶される。このため、無線接続装置は、他の無線接続装置から無線通信に関する設定情報を取得する前後において、一貫して、無線端末に対する案内に使用される第１の無線通信用の設定情報（無線接続装置に予め設定されている無線通信に関する設定情報）を維持することができる。従って、他の無線接続装置に設定されている無線通信に関する設定情報を複製することが可能な無線接続装置において、無線端末を利用した案内を提供することができる。
【００１０】
（３）上記形態の無線接続装置において；前記第１の接続制御部は、所定のトリガに応じて特殊な無線標識を発信することで、前記無線端末による前記第１の無線通信への前記接続を誘導してもよい。この形態の無線接続装置によれば、第１の接続制御部は、無線端末による第１の無線通信への接続を誘導するため、無線接続装置と無線端末との間の第１の無線通信の確立を容易化することができる。この結果、無線接続装置は、第１の無線通信を使用した無線端末への案内を、より確実に実施することができる。
【００１１】
（４）上記形態の無線接続装置において；前記案内部は、前記無線端末から受信した任意のインターネット接続要求に対して、アドレスを差し替えた応答を返すことによって、前記案内を開始してもよい。この形態の無線接続装置によれば、案内部は、無線端末から受信した任意のインターネット接続要求に対して、アドレスを差し替えた応答を返すことによって、案内の送信を開始する。このため、無線端末の利用者に特別な操作を要求することなく、インターネット接続のためのありふれた操作をトリガとして無線端末への案内の送信を開始することができる。この結果、無線接続装置は、第１の無線通信を使用した無線端末への案内を、より確実に実施することができる。
【００１２】
（５）上記形態の無線接続装置において；前記取得部は、前記他の無線接続装置が対応している全ての周波数帯の前記設定情報を一時に取得してもよい。この形態の無線接続装置によれば、取得部は、他の無線接続装置が対応している全ての周波数帯の設定情報を一時に取得するため、他の無線接続装置に設定されている設定情報を迅速に取得することができる。
【００１３】
（６）上記形態の無線接続装置において；前記取得部は、前記他の無線接続装置が対応している複数の周波数帯の前記設定情報を順次取得してもよい。この形態の無線接続装置によれば、取得部は、他の無線接続装置が対応している複数の周波数帯の設定情報を順次取得するため、他の無線接続装置に設定されている設定情報を一時に取得できない場合、設定情報を周波数帯ごとに分割して取得することができる。
【００１４】
（７）上記形態の無線接続装置では、さらに；前記他の無線接続装置から発信される無線標識に基づいて、前記他の無線接続装置が対応している前記周波数帯を検出する検出部を備えていてもよい。この形態の無線接続装置によれば、検出部は、他の無線接続装置から発信される無線標識に基づいて他の無線接続装置が対応している周波数帯を検出することができる。この結果、取得部は、検出部により検出された周波数帯に対して、設定情報の取得を順次試みることができる。
【００１５】
（８）上記形態の無線接続装置において；前記第２の接続制御部は、前記第２の無線通信への前記接続の際に、前記取得部が前記設定情報を取得する周波数帯を使用してもよい。この形態の無線接続装置によれば、第２の接続制御部は、無線接続装置と他の無線接続装置との間の第２の無線通信への接続の際に、取得部が設定情報を取得する周波数帯を使用して接続する。このため、取得部は、他の無線接続装置が提供する方式を利用した設定情報の取得を行うことができる。
【００１６】
（９）上記形態の無線接続装置において；前記案内部は、前記取得に関する対話型の案内を順次送信してもよい。この形態の無線接続装置によれば、案内部は、他の無線接続装置からの無線通信に関する設定情報の取得に関する対話型の案内を実現することができる。この結果、無線端末の利用者におけるユーザビリティをより向上させることができる。
【００１７】
（１０）上記形態の無線接続装置において；前記案内部は、さらに、前記第１の無線通信を介して、前記無線端末から前記他の無線接続装置による認証のための認証情報を取得し；前記取得部は、さらに、前記取得された認証情報を用いて、前記他の無線接続装置から、前記他の無線接続装置に設定されている前記無線通信に関する設定情報以外の他の設定情報を取得してもよい。この形態の無線接続装置によれば、取得部は、無線端末から取得した認証情報を用いて、他の無線接続装置から、無線通信に関する設定情報以外の他の設定情報を取得することができる。この結果、無線通信に関する設定情報だけでなく、他の設定情報をも複製可能な無線接続装置を提供することが可能となり、利用者におけるユーザビリティをより一層向上させることができる。
【００１８】
（１１）上記形態の無線接続装置において；前記取得部は、さらに、前記他の無線接続装置のセキュリティに関する設定内容に応じて、前記他の無線接続装置が対応している全ての周波数帯の前記設定情報を一時に取得するか、前記他の無線接続装置が対応している複数の周波数帯の前記設定情報を順次取得するかを決定してもよい。この形態の無線接続装置によれば、他の無線接続装置のセキュリティに関する設定内容に応じて他の無線接続装置が対応している全ての周波数帯の設定情報を一時に取得するか、順次取得するかを決定することができる。
【００１９】
（１２）上記形態の無線接続装置において；前記第２の接続制御部は、利用者が前記無線接続装置に直接触れる形態または近距離無線通信の形態で与えられる所定のトリガに応じて、前記無線接続装置を、第２の無線通信のクライアントとして前記他の無線接続装置に接続させてもよい。この形態の無線接続装置によれば、利用者は、無線接続装置に直接触れる形態または近距離無線通信の形態を利用して、無線接続装置を他の無線接続装置に接続させることができる。
【００２０】
（１３）上記形態の無線接続装置において；前記無線接続装置は、前記取得部による前記設定情報の取得が終了した後に、前記取得された設定情報を用いてアクセスポイントとして起動させてもよい。この形態の無線接続装置によれば、無線接続装置は、取得部による設定情報の取得が終了後、自動的に、取得された設定情報を用いてアクセスポイントとして起動することができる。
【００２１】
（１４）上記形態の無線接続装置において；前記無線接続装置は、前記他の無線接続装置のセキュリティに関する設定内容に応じて、前記取得された設定情報の前記記憶部への記憶と、前記取得された設定情報を用いた起動と、のうちの少なくともいずれか一方を省略してもよい。この形態の無線接続装置によれば、他の無線接続装置のセキュリティに関する設定内容に応じて、取得された設定情報の記憶と、取得された設定情報を用いた起動と、のうちの少なくともいずれか一方を省略することができる。このため、他の無線接続装置のセキュリティが低い場合などに、当該他の無線接続装置の設定情報が無線接続装置にそのまま適用されることを抑制することができる。
【００２２】
（１５）上記形態の無線接続装置において；前記無線接続装置は、前記取得部による前記設定情報の取得が完了した後であって、前記無線接続装置の電源が再投入されるまでの間における、無線標識の発信と、前記他の無線接続装置や前記無線端末からの問い合わせに基づく処理と、前記他の無線接続装置や前記無線端末からの接続要求に基づく処理と、のうちの少なくともいずれかを停止してもよい。この形態の無線接続装置によれば、取得部による設定情報の取得が完了した後であって無線接続装置の電源が再投入されるまでの間における、無線標識の発信と、他の無線接続装置や無線端末からの問い合わせに基づく処理と、他の無線接続装置や無線端末からの接続要求に基づく処理と、のうちの少なくともいずれかが停止される。このため、ネットワーク内において同一の設定情報を持つ２つのアクセスポイント（具体的には、無線接続装置と、他の無線接続装置）が存在することに伴う問題の発生を回避することができる。
【００２３】
上述した本発明の各形態の有する複数の構成要素は全てが必須のものではなく、上述の課題の一部または全部を解決するため、あるいは、本明細書に記載された効果の一部または全部を達成するために、適宜、前記複数の構成要素の一部の構成要素について、その変更、削除、新たな構成要素との差し替え、限定内容の一部削除を行うことが可能である。また、上述の課題の一部または全部を解決するため、あるいは、本明細書に記載された効果の一部または全部を達成するために、上述した本発明の一形態に含まれる技術的特徴の一部または全部を上述した本発明の他の形態に含まれる技術的特徴の一部または全部と組み合わせて、本発明の独立した一形態とすることも可能である。
【００２４】
例えば、本発明の一形態は、第１の接続制御部と、第２の接続制御部と、取得部と、記憶部と、案内部と、の５つの要素のうちの一部または全部の要素を備えた方法として実現可能である。すなわち、本装置は、第１の接続制御部を有していてもよく、有していなくてもよい。また、本装置は、第２の接続制御部を有していてもよく、有していなくてもよい。また、本装置は、取得部を有していてもよく、有していなくてもよい。また、本装置は、記憶部を有していてもよく、有していなくてもよい。また、本装置は、案内部を有していてもよく、有していなくてもよい。こうした装置は、例えば無線接続装置として実現できるが、無線接続装置以外の他の装置としても実現可能である。前述した無線接続装置の各形態の技術的特徴の一部または全部は、いずれもこの装置に適用することが可能である。
【００２５】
本発明は、無線接続装置以外の種々の形態で実現することも可能である。例えば、無線通信に関する設定情報を複製する方法、無線接続装置を含むネットワークシステム、これらの方法の一部または全部を実現するコンピュータプログラム、そのコンピュータプログラムを記録した一時的でない記録媒体等の形態で実現することができる。
【図面の簡単な説明】
【００２６】
【図１】本発明の一実施形態としてのネットワークシステムの概略構成の変化を示す説明図である。
【図２】無線接続装置と他の無線接続装置との構成を機能的に示すブロック図である。
【図３】端末の構成を機能的に示すブロック図である。
【図４】ＡＯＳＳを利用した複製処理の手順を示すシーケンス図である。
【図５】案内１の画面の一例である。
【図６】案内２の画面の一例である。
【図７】案内３の画面の一例である。
【図８】案内４の画面の一例である。
【図９】案内５の画面の一例である。
【図１０】ＷＰＳを利用した複製処理の手順を示すシーケンス図である。
【図１１】ＡＰの対応周波数帯の検出方法について説明するための説明図である。
【図１２】案内６の画面の一例である。
【図１３】第２実施形態におけるネットワークシステムの概略構成の変化を示す説明図である。
【図１４】無線接続装置と他の無線接続装置との構成を機能的に示すブロック図である。
【図１５】他の設定情報の取得処理の手順を示すシーケンス図である。
【図１６】案内７の画面の一例である。
【発明を実施するための形態】
【００２７】
次に、本発明の実施の形態を実施形態に基づいて説明する。
【００２８】
Ａ．第１実施形態：
Ａ−１．システムの概略構成：
図１は、本発明の一実施形態としてのネットワークシステムの概略構成の変化を示す説明図である。ネットワークシステム１は、無線接続装置１０と、他の無線接続装置２０と、無線端末３０とを含んでいる。図１では便宜上、説明上必要としないネットワーク中継装置、回線、端末等については図示を省略している。無線接続装置１０は、ＩＥＥＥ８０２．１１に準拠したアクセスポイント装置である。以降、無線接続装置１０を「ＡＰ１０」とも呼ぶ。同様に、他の無線接続装置２０は、ＩＥＥＥ８０２．１１に準拠したアクセスポイント装置である。以降、他の無線接続装置２０を「ＡＰ２０」とも呼ぶ。無線端末３０は、ＩＥＥＥ８０２．１１に準拠した無線通信インタフェースを備える無線端末である。以降、無線端末３０を「端末３０」とも呼ぶ。
【００２９】
本実施形態では、現在運用中である既存のＡＰ２０（古いＡＰ２０）を、新しいＡＰ１０へ置換する場面を想定する。図１（Ａ）は、既存のＡＰ２０から新しいＡＰ１０へ置換する前のネットワークシステム１の概略構成を表している。図１（Ｂ）は、既存のＡＰ２０から新しいＡＰ１０へ置換した後のネットワークシステム１の概略構成を表している。
【００３０】
図１（Ａ）において、ＡＰ２０は、ルータとしても機能し、有線ケーブルを介してインターネットＩＮＴに接続されている。ＡＰ２０には、ＩＥＥＥ８０２．１１規格に準拠した無線通信を可能とするために、無線通信に関する設定情報が記憶されている。「無線通信に関する設定情報」とは、例えば、無線ＬＡＮ（Local Area Network）の混信を避けるためのＳＳＩＤ（Service Set Identifier）、無線通信における認証／暗号化方式（ＷＥＰ：Wired Equivalent Privacy、ＷＰＡ：Wi-Fi Protected Access、ＷＰＡ２−ＰＳＫ：Wi-Fi Protected Access 2 Pre-Shared Key等）、前記暗号化に使用される暗号鍵等である。
【００３１】
さらに、ＡＰ２０には、外部（インターネットＩＮＴ）との通信を正しく行うために、他の設定情報が記憶されている。「他の設定情報」とは、例えば、ＡＰ２０の外側（インターネットＩＮＴ側）のグローバルＩＰアドレスを含むＷＡＮ（Wide Area Network）設定、ＡＰ２０の内側のプライベートＩＰアドレスを含むＬＡＮ設定、グローバルＩＰアドレスとプライベートＩＰアドレスを相互に変換するためのＮＡＴ（Network Address Translation）設定、通過パケットのフィルタリングを行うためのファイアウォール設定、コンテンツのフィルタリングを行うためのコンテンツフィルタ設定およびペアレンタルコントロール設定、仮想プライベートネットワークを実現するためのＶＰＮ（Virtual Private Network）設定等である。
【００３２】
本実施形態の複製処理では、図１（Ａ）に示す構成において、既存のＡＰ２０に設定されている「無線通信に関する設定情報」を、新しいＡＰ１０へ複製することができる。また、本実施形態の複製処理では、この複製に関する対話型の案内を、端末３０を利用して実施することができる。なお、以降では、既存のＡＰ２０と新しいＡＰ１０との間の無線通信を「第２の無線通信Ｃ２」と呼び、新しいＡＰ１０と端末３０との間の無線通信を「第１の無線通信Ｃ１」と呼ぶ。
【００３３】
複製の完了後、既存のＡＰ２０から新しいＡＰ１０への置換が行われる。置換完了後は、ネットワークシステム１の構成は図１（Ｂ）に示す構成へと変化し、利用者が使用する端末３０と新しいＡＰ１０との無線通信が可能となる。なお、無線通信に関する設定情報と他の設定情報との両方を新しいＡＰ１０へ複製する例については、後述の第２実施形態で説明する。
【００３４】
Ａ−２．ＡＰの概略構成：
図２は、ＡＰ１０とＡＰ２０との構成を機能的に示すブロック図である。図２（Ａ）はＡＰ１０の構成を示し、図２（Ｂ）はＡＰ２０の構成を示している。
【００３５】
Ａ−２−１．ＡＰ１０の概略構成：
新しいＡＰ１０は、ＣＰＵ１１０と、設定ボタン１２０と、ＲＡＭ１３０と、無線通信インタフェース（Ｉ／Ｆ）１４０と、有線通信インタフェース（Ｉ／Ｆ）１５０と、フラッシュＲＯＭ１６０と、を備え、各構成要素はバスにより相互に接続されている。
【００３６】
ＣＰＵ１１０は、フラッシュＲＯＭ１６０に格納されているコンピュータプログラムをＲＡＭ１３０に展開して実行することにより、ＡＰ１０を制御する。また、ＣＰＵ１１０は、中継処理部１１１、ＳＴＡ（Station）側ＡＯＳＳ処理部１１２、ＳＴＡ側ＷＰＳ処理部１１３、接続制御部１１４、検出部１１５、案内部１１６の各機能を実現する。
【００３７】
中継処理部１１１は、ＡＰ１０が受信したパケットを宛先に応じて転送する中継処理を実行する。
【００３８】
ＳＴＡ側ＡＯＳＳ処理部１１２は、ＡＯＳＳ（AirStation One-Touch Secure System、ＡＯＳＳは登録商標）を利用した複製処理のクライアント（子機）として動作する機能部である。ＳＴＡ側ＷＰＳ処理部１１３は、ＷＰＳ（Wi-Fi Protected Setup）を利用した複製処理のクライアント（子機）として動作する機能部である。ここで、ＡＯＳＳおよびＷＰＳとは、いずれも、アクセスポイント（親機）が、無線通信に関する設定情報をクライアントへ自動的に設定させる機能であり、従来から知られた機能である。ＡＯＳＳ機能およびＷＰＳ機能はいずれも、以下のａ１〜ａ３に示す処理を実現する。
（ａ１）アクセスポイントが、所定のトリガの発生を契機として、クライアントとしての装置（以降「クライアント装置」とも呼ぶ。）との間で、一時的な通信を確立する。
（ａ２）アクセスポイントが、確立された一時的な通信を介して、クライアント装置に対して、無線通信に関する設定情報を送信する。
（ａ３）クライアント装置が、受信した無線通信に関する設定情報を保存する。
ただし、ＷＰＳ機能では、アクセスポイントが対応している周波数帯が複数存在する場合であっても、上記処理ａ２において、一の周波数帯に対応した設定情報しか送信することができない場合がある。以降の実施形態では、ＷＰＳ機能の処理ａ２において、一の周波数帯に対応した設定情報しか送信することができないことを前提として説明する。
【００３９】
本実施形態において、ＳＴＡ側ＡＯＳＳ処理部１１２およびＳＴＡ側ＷＰＳ処理部１１３は、ＡＰ２０に設定されている無線通信に関する設定情報を取得する「取得部」として機能する。
【００４０】
接続制御部１１４は、無線通信インタフェース１４０を介しての、ＩＥＥＥ８０２．１１に準拠した無線通信の接続を制御する。接続制御部１１４は、ＡＰ側接続制御部１１４ｘと、ＳＴＡ側接続制御部１１４ｙとを含んでいる。ＡＰ側接続制御部１１４ｘは、例えば端末３０等の他の装置を、無線通信のクライアントとしてＡＰ１０へ接続させることで、第１の無線通信Ｃ１（図１）を確立する。この場合、ＡＰ１０は、第１の無線通信Ｃ１のアクセスポイントとして動作する。なお、ＡＰ側接続制御部１１４ｘは「第１の接続制御部」として機能する。ＳＴＡ側接続制御部１１４ｙは、例えばＡＰ２０等、他の無線接続装置である無線通信のアクセスポイントに対するクライアントとして、ＡＰ１０を接続させることで、第２の無線通信Ｃ２（図１）を確立する。この場合、ＡＰ１０は、第２の無線通信Ｃ２のクライアントとして動作する。なお、ＳＴＡ側接続制御部１１４ｙは「第２の接続制御部」として機能する。
【００４１】
検出部１１５は、例えばＡＰ２０等の他の無線接続装置から発信されるビーコンに基づいて、他の無線接続装置が対応している電波の周波数帯を検出する。以降、ビーコンのことを「無線標識」とも呼ぶ。
【００４２】
案内部１１６は、複製処理に関する案内を生成し、生成した案内を端末３０へ送信する。本実施形態において、複製処理に関する案内とは、ＡＰ１０とＡＰ２０との間の接続のための案内と、ＡＰ１０がＡＰ２０から無線通信に関する設定情報を取得するための案内と、を含む。
【００４３】
設定ボタン１２０は、ＡＰ１０の筐体に設けられたスイッチである。本実施形態では、設定ボタン１２０の押下が検出された時間が所定の閾値以下である場合、周知のＡＯＳＳまたはＷＰＳが開始される。一方、設定ボタン１２０の押下が検出された時間が所定の閾値以上である場合、ＡＯＳＳまたはＷＰＳを利用した複製処理が開始される。なお、所定の閾値は任意に定めることができる。また、設定ボタン１２０は、状態を維持しないスイッチにより実現されることが好ましい。
【００４４】
無線通信インタフェース１４０は、図示しない送受信回路を含み、アンテナを介して受信した電波の復調とデータの生成、および、アンテナを介して送信する電波の生成と変調を行う機能を有する。本実施形態の無線通信インタフェース１４０は、２．４ＧＨｚと、５ＧＨｚとの２つの周波数帯を使用した電波の送信が可能である。
【００４５】
有線通信インタフェース１５０は、インターネットＩＮＴ（図１）側の回線と接続されるほか、有線ケーブルを通じてＬＡＮ内の他の装置（例えばＮＡＳやパーソナルコンピュータ等）と接続される。有線通信インタフェース１５０は、図示しないＰＨＹ／ＭＡＣコントローラを含み、受信した信号の波形を整えるほか、受信した信号からＭＡＣフレームを取り出す機能を有する。
【００４６】
フラッシュＲＯＭ１６０には、プリセット設定情報１６１と、設定情報記憶領域１６２とが含まれている。プリセット設定情報１６１には、ＡＰ１０の工場出荷時において、予め設定された無線通信に関する設定情報が記憶されており、先頭に「！」の文字を付したＳＳＩＤと、当該ＳＳＩＤを用いた接続において使用される認証／暗号化方式と、暗号化に使用される暗号鍵とが記憶されている。設定情報記憶領域１６２は、複製処理においてＡＰ２０から取得した無線通信に関する設定情報を記憶させるための領域である。なお、フラッシュＲＯＭ１６０は「記憶部」として機能する。
【００４７】
Ａ−２−２．ＡＰ２０の概略構成：
既存のＡＰ２０は、ＣＰＵ２１０と、設定ボタン２２０と、ＲＡＭ２３０と、無線通信インタフェース２４０と、有線通信インタフェース２５０と、フラッシュＲＯＭ２６０と、を備え、各構成要素はバスにより相互に接続されている。
【００４８】
ＣＰＵ２１０は、フラッシュＲＯＭ２６０に格納されているコンピュータプログラムをＲＡＭ２３０に展開して実行することにより、ＡＰ２０を制御する。また、ＣＰＵ２１０は、中継処理部２１１、ＡＰ側ＡＯＳＳ処理部２１２、ＡＰ側ＷＰＳ処理部２１３、ＡＰ側接続制御部２１４の各機能を実現する。
【００４９】
中継処理部２１１は、ＡＰ２０が受信したパケットを宛先に応じて転送する中継処理を実行する。
【００５０】
ＡＰ側ＡＯＳＳ処理部２１２は、ＡＯＳＳを利用した複製処理のアクセスポイント（親機）として動作する機能部である。ＡＰ側ＷＰＳ処理部２１３は、ＷＰＳを利用した複製処理のアクセスポイント（親機）およびレジストラとして動作する機能部である。なお、ＡＰ側ＡＯＳＳ処理部２１２と、ＡＰ側ＷＰＳ処理部２１３とは、いずれか一方を省略してもよい。なお、ＡＰ側ＡＯＳＳ処理部２１２およびＡＰ側ＷＰＳ処理部２１３は、ＡＰ２０へクライアントとして接続されている装置に対して無線通信の設定を実施する「設定処理部」として機能する。なお、本実施形態におけるＷＰＳはＷＰＳ−ＰＢＣ（Wi-Fi Protected Setup-Push Button Configuration、プッシュボタン方式によるＷＰＳ）であり、ＡＰ側ＷＰＳ処理部２１３は、アクセスポイントとしての動作に加えて、クライアント装置の登録などを行うレジストラとしても機能する。
【００５１】
ＡＰ側接続制御部２１４は、無線通信インタフェース２４０を介しての、ＩＥＥＥ８０２．１１に準拠した無線通信の接続を制御する。ＡＰ側接続制御部２１４は、例えばＡＰ１０等の他の装置を、無線通信のクライアントとしてＡＰ２０へ接続させることで、第２の無線通信Ｃ２（図１）を確立する。この場合、ＡＰ２０は、第２の無線通信Ｃ２のアクセスポイントとして動作する。なお、ＡＰ側接続制御部２１４は「親機接続制御部」として機能する。
【００５２】
認証処理部２１５は、ＡＰ２０の利用者の正当性および権限を認証する認証処理を実行する。認証処理部２１５は、認証に成功した利用者による他の設定情報２６２の閲覧等を許可する。なお、本実施形態では、認証情報として、ユーザＩＤとパスワードの組み合わせを使用する。
【００５３】
設定ボタン２２０は、ＡＰ２０の筐体に設けられたスイッチであり、設定ボタン２２０押下の検出により、ＡＯＳＳまたはＷＰＳが開始される。なお、設定ボタン２２０は、状態を維持しないスイッチにより実現されることが好ましい。
【００５４】
無線通信インタフェース２４０は、図示しない送受信回路を含み、アンテナを介して受信した電波の復調とデータの生成、および、アンテナを介して送信する電波の生成と変調を行う。本実施形態の無線通信インタフェース２４０は、２．４ＧＨｚと、５ＧＨｚとの２つの周波数帯を使用した電波の送信が可能である。
【００５５】
有線通信インタフェース２５０は、インターネットＩＮＴ（図１）側の回線と接続されるほか、有線ケーブルを通じてＬＡＮ内の他の装置（例えばＮＡＳやパーソナルコンピュータ等）と接続される。有線通信インタフェース２５０は、図示しないＰＨＹ／ＭＡＣコントローラを含み、受信した信号の波形を整えるほか、受信した信号からＭＡＣフレームを取り出す機能を有する。
【００５６】
フラッシュＲＯＭ２６０には、設定情報２６１と、他の設定情報２６２とが含まれている。設定情報２６１には、図１で説明した無線通信に関する設定情報が記憶されている。他の設定情報２６２には、図１で説明した他の設定情報が記憶されている。なお、ＡＰ２０においても、ＡＰ１０と同様のインジケータを有していてもよい。
【００５７】
Ａ−３．端末の概略構成：
図３は、端末３０の構成を機能的に示すブロック図である。端末３０は、ＣＰＵ３１０と、ＲＯＭ３２０と、ＲＡＭ３３０と、無線通信インタフェース（Ｉ／Ｆ）３４０と、移動体通信網通信インタフェース（Ｉ／Ｆ）３５０と、タッチパネル３６０と、音声通信部３７０と、を備え、各構成要素はバスにより相互に接続されている。
【００５８】
ＣＰＵ３１０は、ＲＯＭ３２０に格納されているコンピュータプログラムをＲＡＭ３３０に展開して実行することにより、端末３０を制御する。また、ＣＰＵ３１０は、ＷＥＢブラウザ３１１、ＳＴＡ側接続制御部３１２の各機能を実現する。
【００５９】
ＷＥＢブラウザ３１１は、例えば、ＨＴＴＰ（HyperText Transfer Protocol）のようなデータ転送プロトコルに基づいてＷＷＷ（World Wide Web）から取得されたコンテンツの閲覧に使用されるコンピュータプログラムである。なお、データ転送プロトコルは、例えばＴＣＰ／ＩＰのような通信プロトコルにおいて、ループバックアドレスを利用することにより情報の送受信を行うことが可能なクライアントサーバ型プロトコルである限りにおいて任意のプロトコルを用いることができ、例えば、ＨＴＴＰ、ＨＴＴＰＳ（Secure HyperText Transfer Protocol）等を利用することができる。また、ＨＴＴＰ、ＨＴＴＰＳはあくまで例示であり、これらのプロトコルに限られるものではない。ＷＥＢブラウザ３１１は、複製処理において、端末３０がＡＰ１０から受信した案内を表示するために使用される。
【００６０】
ＳＴＡ側接続制御部３１２は、無線通信インタフェース３４０を介しての、ＩＥＥＥ８０２．１１に準拠した無線通信の接続を制御する。ＳＴＡ側接続制御部３１２は、例えばＡＰ１０等の無線接続装置を、無線通信のアクセスポイントとして端末３０へ接続させることで、第１の無線通信Ｃ１（図１）を確立する。この場合、端末３０は、第１の無線通信Ｃ１のクライアントとして動作する。なお、ＳＴＡ側接続制御部３１２は「子機接続制御部」として機能する。
【００６１】
無線通信インタフェース３４０は、図示しない送受信回路を含み、アンテナを介して受信した電波の復調とデータの生成、および、アンテナを介して送信する電波の生成と変調を行う機能を有する。移動体通信網通信インタフェース３５０は、アンテナと、図示しない送受信回路とを含み、例えば、ＷｉＭＡＸ／３Ｇ／ＬＴＥに準拠した移動体通信方式により、通信キャリアとの間で、データ通信や音声通信を行う。
【００６２】
タッチパネル３６０は、例えば液晶画面等の表示装置と、無色透明のタッチパッド等の入力情報取得装置と、が積層された構造を有する。端末３０の利用者が、液晶画面に表示されているアイコン等のＧＵＩ（Graphical User Interface）を指で押圧すると、タッチパッドが、アイコンが表示されている位置への入力（例えば押圧）を検出し、検出した位置を表す電気信号をＣＰＵ３１０へ送信する。本実施形態において、タッチパネル３６０は「表示部」として機能する。
【００６３】
音声通信部３７０は、音声を出力するためのスピーカや音声を入力するためのマイク、これらを駆動する回路などを含む。端末３０は、移動体通信網通信インタフェース３５０と音声通信部３７０とを備えることにより電話としても動作する。
【００６４】
Ａ−４．複製処理：
以降、本実施形態のＡＰ１０を用いた複製処理の手順について説明する。本実施形態のＡＰ１０が実行可能な複製処理には、以下の２種類が存在する。
・ＡＯＳＳを利用した複製処理
・ＷＰＳを利用した複製処理
どちらの複製処理が実行されるかは、既存のＡＰ２０の構成によって決定される。ＡＰ２０がＡＯＳＳとＷＰＳとの両方に対応している場合、換言すれば、ＡＰ２０がＡＰ側ＡＯＳＳ処理部２１２とＡＰ側ＷＰＳ処理部２１３との両方を備えている場合は、ＡＯＳＳを利用した複製処理が優先して実行される。一方、ＡＰ２０がＷＰＳにしか対応していない場合、換言すれば、ＡＰ２０がＡＰ側ＷＰＳ処理部２１３しか備えていない場合は、ＷＰＳを利用した複製処理が実行される。なお、ＡＰ２０がＡＰ側ＡＯＳＳ処理部２１２とＡＰ側ＷＰＳ処理部２１３との両方を備えている場合であっても、ＡＰ２０のセキュリティ設定の内容、例えば、無線通信における認証／暗号化方式の有無または種類によっては、ＡＯＳＳを利用した複製処理に代えて、ＷＰＳを利用した複製処理が実行されてもよい。具体的には、例えば、無線通信における認証／暗号化方式が無い場合、換言すれば、認証／暗号化方式がＯＰＥＮ設定である場合には、ＷＰＳを利用した複製処理が実行されてもよい。また、無線通信における認証／暗号化方式がＷＰＡ２−ＥＡＰ（Wi-Fi Protected Access 2 Extensible Authentication Protocol）設定である場合には、ＡＯＳＳを利用した複製処理が実行されてもよい。
【００６５】
Ａ−４−１．ＡＯＳＳを利用した複製処理：
図４は、ＡＯＳＳを利用した複製処理の手順を示すシーケンス図である。ステップＳ１０２において利用者は、新しいＡＰ１０の設定ボタン１２０を押下する。
【００６６】
ステップＳ１０４において、所定の閾値を超える時間にわたる設定ボタン１２０の押下を検出したＡＰ１０は、ＡＰ（Access Point）として起動し、端末３０からＡＰ１０への接続を誘導する。具体的には、ＡＰ１０は、ＡＰ側接続制御部１１４ｘを起動することにより、ＡＰ１０をＡＰモードで起動させる。その後、ＡＰ側接続制御部１１４ｘは、特殊なビーコンを発信する。本実施形態では、プリセット設定情報１６１に記憶されている設定情報に基づいて、先頭に「！」の文字を付したＳＳＩＤを含むビーコンを、特殊なビーコンとして使用する。端末３０のワイヤレスネットワーク接続画面では、端末３０が受信したビーコンの発信元ＡＰが一覧表示される。この一覧は、通常、ＳＳＩＤの昇順（ＳＳＩＤの文字コードが若い順）に表示されることが多い。そこで、ＳＳＩＤの先頭を「！」とすれば、当該ＡＰは、端末３０のワイヤレスネットワーク接続画面に表示されるＳＳＩＤの一覧のうち、最上段またはその付近に表示されることが期待できる。このため、端末３０の利用者は、ワイヤレスネットワーク接続画面においてＡＰ１０を容易に発見することができる。その結果、ＡＰ側接続制御部１１４ｘは、端末３０からＡＰ１０への接続を誘導することができる。
【００６７】
ステップＳ１０６において端末３０は、特殊なビーコンを発するＡＰ１０を発見し、接続する。具体的には、端末３０は、端末３０が受信したビーコンに基づいて上述のワイヤレスネットワーク接続画面を生成し、タッチパネル３６０に表示させる。利用者は、ワイヤレスネットワーク接続画面の最上段またはその付近に表示されたＡＰ１０を選択する。端末３０のＳＴＡ側接続制御部３１２は、ＡＰ１０に対して、利用者によって選択されたＳＳＩＤ（「！」から始まる特殊なＳＳＩＤ）を指定した接続要求を送信する。端末３０からの接続要求を受信したＡＰ１０のＡＰ側接続制御部１１４ｘは、ＡＰ１０に予め設定されている「！」から始まる特殊なＳＳＩＤの設定情報に基づいて、端末３０との間で「第１の無線通信」を確立する。
【００６８】
このように、ＡＰ１０のＡＰ側接続制御部１１４ｘ（第１の接続制御部）は、端末３０（無線端末）による第１の無線通信への接続を誘導する。このため、ＡＰ１０（無線接続装置）と端末３０との間の第１の無線通信の確立を容易化することができる。
【００６９】
ステップＳ１０８において利用者は、端末３０のＷＥＢブラウザ３１１を用いて、任意のＷＥＢページにアクセスする。ステップＳ１１０において端末３０のＷＥＢブラウザ３１１は、利用者より受け付けたＷＥＢページを取得するために、ＡＰ１０に対してインターネット接続要求を送信する。
【００７０】
ステップＳ１１２においてＡＰ１０の案内部１１６は、端末３０から受信したインターネット接続要求のアドレスを差し替える。具体的には、案内部１１６は、インターネット接続要求のＤＮＳ（Domain Name System）アドレスの問い合わせに対して、案内部１１６による案内を表示させるためＷＥＢページのアドレスを応答する。
【００７１】
ステップＳ１１４においてＡＰ１０の案内部１１６は、案内１を表示させるためのＷＥＢページの内容を端末３０へ送信する。ここで案内１とは、ＡＰ２０からＡＰ１０への無線通信に関する設定情報の複製を開始するか否かを利用者に確認するための案内である。ステップＳ１１６において端末３０のＷＥＢブラウザ３１１は、タッチパネル３６０に、受信した案内１を表示させる。
【００７２】
図５は、案内１の画面の一例である。案内１の画面Ｗ１には、無線通信に関する設定情報の複製を開始するか否かを尋ねるメッセージＭＧ１と、いいえボタンＢ１１と、はいボタンＢ１２とが配置されている。
【００７３】
図４のステップＳ１１８において利用者は、画面Ｗ１のはいボタンＢ１２を押下する。ステップＳ１２０において、はいボタンＢ１２の押下を検出した端末３０のＷＥＢブラウザ３１１は、ＡＰ１０へ複製の開始要求を送信する。なお、いいえボタンＢ１１の押下を検出した場合、端末３０のＷＥＢブラウザ３１１は、ＡＰ１０へ複製処理（図４）の終了要求を送信する。終了要求を受信したＡＰ１０は、図４の処理を終了させる。
【００７４】
ステップＳ１２２においてＡＰ１０は、ＡＯＳＳのクライアントとしての動作を開始する。具体的には、ＡＰ１０は、ＳＴＡ側接続制御部１１４ｙを起動することにより、ＡＰ１０をＳＴＡ（Station）モードで起動させる。また、ＡＰ１０は、ＳＴＡ側ＡＯＳＳ処理部１１２を起動することにより、ＡＯＳＳ機能を実現可能とする。その後、ＡＰ１０のＳＴＡ側接続制御部１１４ｙは、ＡＰ（Access Point）スキャンを実施する。ＡＰスキャンとは、電波到達範囲内に存在するアクセスポイントを検出する操作の名称である。なお、本実施形態におけるＡＰスキャンの実行回数は、１度でもよいし複数回でもよい。
【００７５】
ステップＳ１２４においてＡＰ１０の案内部１１６は、案内２を表示させるためのＷＥＢページの内容を端末３０へ送信する。ここで案内２とは、既存のＡＰ２０のＡＯＳＳ機能を開始させるために、利用者にＡＰ２０の設定ボタン２２０の押下を促すための案内である。ステップＳ１２６において端末３０のＷＥＢブラウザ３１１は、タッチパネル３６０に、受信した案内２を表示させる。
【００７６】
図６は、案内２の画面の一例である。案内２の画面Ｗ２には、ＡＰ２０の設定ボタン２２０の押下を促すメッセージＭＧ２が配置されている。
【００７７】
図４のステップＳ１２８において利用者は、画面Ｗ２のメッセージＭＧ２に従って、ＡＰ２０の設定ボタン２２０を押下する。
【００７８】
ステップＳ１３０において、設定ボタン２２０の押下を検出したＡＰ２０は、ＡＯＳＳのアクセスポイントとしての動作を開始する。具体的には、ＡＰ２０は、ＡＰ側接続制御部２１４を起動することにより、ＡＰ２０をＡＰモードで起動させる。また、ＡＰ２０は、ＡＰ側ＡＯＳＳ処理部２１２を起動することにより、ＡＯＳＳ機能を実現可能とする。
【００７９】
ステップＳ１３２においてＡＰ１０のＳＴＡ側接続制御部１１４ｙは、ＡＰスキャンを繰り返し行い、ＡＰモードで起動されたＡＰ２０を検出する。その後、ＳＴＡ側接続制御部１１４ｙは、検出されたＡＰ２０に対して、任意の周波数帯を使用してＡＯＳＳ接続を行う。この結果、ＡＰ１０とＡＰ２０との間で、上述の処理ａ１で説明した一時的な通信である「第２の無線通信」が確立される。
【００８０】
ステップＳ１３４においてＡＰ１０の案内部１１６は、案内３を表示させるためのＷＥＢページの内容を端末３０へ送信する。ここで案内３とは、既存のＡＰ２０から新しいＡＰ１０への無線通信に関する設定情報の複製中（すなわちＡＰ２０からＡＰ１０への引っ越し中）であることを通知するための案内である。ステップＳ１３６において端末３０のＷＥＢブラウザ３１１は、タッチパネル３６０に、受信した案内３を表示させる。
【００８１】
図７は、案内３の画面の一例である。案内３の画面Ｗ３には、ＡＰ２０からＡＰ１０への無線通信に関する設定情報の複製中であることを示すメッセージＭＧ３１と、設定情報の複製の進捗を表すプログレスバーＭＧ３２とが配置されている。
【００８２】
図４のステップＳ１３８においてＡＰ２０のＡＰ側ＡＯＳＳ処理部２１２は、ＡＰ１０に対して、ＡＰ２０が対応している全ての周波数帯の無線通信に関する設定情報を送信する。ステップＳ１３８における情報の送信は、上述の処理ａ２で説明したＡＯＳＳ機能を利用して行われる。
【００８３】
ステップＳ１４０においてＡＰ１０のＳＴＡ側ＡＯＳＳ処理部１１２は、ＡＰ２０から無線通信に関する設定情報を取得する。ＳＴＡ側ＡＯＳＳ処理部１１２は、取得した無線通信に関する設定情報を設定情報記憶領域１６２に保存する。ＳＴＡ側ＡＯＳＳ処理部１１２は、ＳＴＡ側接続制御部１１４ｙに、ＡＰ２０との間で確立した一時的な通信（第２の無線通信）を切断させた後、処理を終了する。
【００８４】
ステップＳ１４２においてＡＰ２０のＡＰ側ＡＯＳＳ処理部２１２は、ＡＰ側接続制御部２１４に、ＡＰ１０との間で確立した一時的な通信（第２の無線通信）を切断させた後、処理を終了する。
【００８５】
ステップＳ１４４においてＡＰ１０の案内部１１６は、案内４を表示させるためのＷＥＢページの内容を端末３０へ送信する。ここで案内４とは、既存のＡＰ２０から新しいＡＰ１０への無線通信に関する設定情報の複製が終了（すなわちＡＰ２０からＡＰ１０への引っ越しが終了）したことを通知するための案内である。ステップＳ１４６において端末３０のＷＥＢブラウザ３１１は、タッチパネル３６０に、受信した案内４を表示させる。
【００８６】
図８は、案内４の画面の一例である。案内４の画面Ｗ４には、ＡＰ２０からＡＰ１０への無線通信に関する設定情報の複製が終了したことを示すメッセージＭＧ４と、複製された設定情報の内容を示す項目Ｌ４１、Ｌ４２と、終了ボタンＢ４とが配置されている。図８の例では、メッセージＭＧ４には、複製終了の案内と共に、利用者に対して既存のＡＰ２０（古いＡＰ）の電源を落とすことを指示する案内が含まれている。また、項目Ｌ４１には、ＡＰ２０からＡＰ１０へ複製された無線通信に関する設定情報のうちの、第１の周波数帯の設定情報が表示されている。同様に、項目Ｌ４２には、ＡＰ２０からＡＰ１０へ複製された無線通信に関する設定情報のうちの、第２の周波数帯の設定情報が表示されている。
【００８７】
図４のステップＳ１４８において利用者は、画面Ｗ４の終了ボタンＢ４を押下する。ステップＳ１５０において、終了ボタンＢ４の押下を検出した端末３０は、ＡＰ１０に対して複製処理の終了要求を送信する。また、ステップＳ１５２において利用者は、画面Ｗ４のメッセージＭＧ４に従って、既存のＡＰ２０の電源を落とす。これにより、ＡＰ１０とＡＰ２０との間の第２の無線通信は切断される。
【００８８】
ステップＳ１５４においてＡＰ１０は、ＳＴＡ側接続制御部１１４ｙの処理を終了させることで、ＡＰ１０のＳＴＡモードを終了する。同様に、ＡＰ１０は、ＡＰ側接続制御部１１４ｘの処理を終了させることで、ＡＰ１０のＡＰモードを終了する。これにより、ＡＰ１０と端末３０との間の第１の無線通信は切断される。
【００８９】
ステップＳ１５６においてＡＰ１０は、設定情報記憶領域１６２の設定情報を適用したＡＰモードで起動する。具体的には、ＡＰ１０は、ＡＰ側接続制御部１１４ｘを起動することにより、ＡＰ１０をＡＰモードで起動させる。また、ＡＰ側接続制御部１１４ｘの処理に使用される情報として、設定情報記憶領域１６２に記憶されている設定情報、すなわち、ＡＰ２０が対応していた全ての周波数帯の無線通信に関する設定情報を適用する。
【００９０】
このように、ＡＯＳＳを利用した複製処理では、新しいＡＰ１０のＳＴＡ側ＡＯＳＳ処理部１１２（取得部）は、既存のＡＰ２０（他の無線接続装置）が対応している全ての周波数帯の無線通信に関する設定情報を一時に取得するため、ＡＰ２０に設定されている設定情報を迅速に取得することができる。
【００９１】
なお、ＡＯＳＳを利用した複製処理において、案内部１１６は、複製処理の実行に失敗した場合に、その旨を利用者に案内してもよい。複製処理の実行の失敗は、例えば、ＡＰ１０からＡＰ２０への接続の失敗（ステップＳ１３２）、ＡＰ２０からの無線通信に関する設定情報の取得の失敗（ステップＳ１３８）等に起因して生じる。複製処理の実行の失敗の案内は、案内５を用いて行うことができる。
【００９２】
図９は、案内５の画面の一例である。案内５の画面Ｗ５には、複製処理の実行に失敗した旨を示すメッセージＭＧ５と、リトライボタンＢ５１と、詳細ボタンＢ５２と、終了ボタンＢ５３とが配置されている。リトライボタンＢ５１の押下の検出により、ＡＰ１０は、図４の処理を最初（またはステップＳ１０４）からやり直す。詳細ボタンＢ５２の押下の検出により、ＡＰ１０は、図４の処理に関する詳細な情報を表示させるためのＷＥＢページを端末３０へ送信する。詳細な情報とは、例えば、ＡＰ１０のシステムログや、エラーログ等の内容である。終了ボタンＢ５３の押下の検出により、ＡＰ１０は、図４の処理を終了させる。
【００９３】
Ａ−４−２．ＷＰＳを利用した複製処理：
図１０は、ＷＰＳを利用した複製処理の手順を示すシーケンス図である。図４に示したＡＯＳＳを利用した複製処理との違いは、ステップＳ１２２、Ｓ１３０、Ｓ１３２、Ｓ１３８、Ｓ１４０、Ｓ１４２に代えて、ステップＳ２０２〜Ｓ２３６を備える点である。以降、図４と同じステップ番号を持つ処理については、内容を省略して記載するが、詳細は図４と同様である。なお、図１０に示す例は、ＷＰＳ機能の処理ａ２において、一の周波数帯に対応した設定情報しか送信することができない場合の処理の流れである。
【００９４】
ステップＳ１０２において利用者は、新しいＡＰ１０の設定ボタン１２０を所定の閾値を超える時間にわたって押下する。ステップＳ１０４においてＡＰ１０は、ＡＰとして起動し、端末３０からＡＰ１０への接続を誘導する。ステップＳ１０６において端末３０は、ＡＰ１０に接続する。ステップＳ１０８において利用者は、任意のＷＥＢページにアクセスする。ステップＳ１１０において端末３０のＷＥＢブラウザ３１１は、ＡＰ１０に対してインターネット接続要求を送信する。ステップＳ１１２〜Ｓ１１６においてＡＰ１０の案内部１１６は、端末３０から受信したインターネット接続要求のアドレスを差し替え、端末３０に案内１（図５）を表示させる。ステップＳ１１８において利用者は、画面Ｗ１のはいボタンＢ１２を押下する。ステップＳ１２０において、はいボタンＢ１２の押下を検出した端末３０のＷＥＢブラウザ３１１は、ＡＰ１０へ複製の開始要求を送信する。
【００９５】
ステップＳ２０２においてＡＰ１０は、ＷＰＳのクライアントとしての動作を開始する。具体的には、ＡＰ１０は、ＳＴＡ側接続制御部１１４ｙを起動させることにより、ＡＰ１０をＳＴＡモードで起動させる。また、ＡＰ１０は、ＳＴＡ側ＷＰＳ処理部１１３を起動することにより、ＷＰＳ機能を実現可能とする。その後、ＳＴＡ側接続制御部１１４ｙはＡＰスキャンを実施する。ステップＳ１２４、Ｓ１２６においてＡＰ１０の案内部１１６は、端末３０に案内２（図６）を表示させる。ステップＳ１２８において利用者は、ＡＰ２０の設定ボタン２２０を押下する。
【００９６】
ステップＳ２０４において、設定ボタン２２０の押下を検出したＡＰ２０は、ＷＰＳのアクセスポイントおよびレジストラとしての動作を開始する。具体的には、ＡＰ２０は、ＡＰ側接続制御部２１４を起動することにより、ＡＰ２０をＡＰモードで起動させる。また、ＡＰ２０は、ＡＰ側ＷＰＳ処理部２１３を起動することにより、ＷＰＳ機能を実現可能とする。
【００９７】
ステップＳ２０６においてＡＰ１０のＳＴＡ側接続制御部１１４ｙは、ＡＰスキャンを繰り返し行い、ＡＰモードで起動されたＡＰ２０を検出する。その後、ＡＰ１０の検出部１１５は、検出されたＡＰ２０が対応している周波数帯の検出を開始する。
【００９８】
図１１は、ＡＰ２０の対応周波数帯の検出方法について説明するための説明図である。図１１（Ａ）は、ＡＰ２０の対応周波数帯の検出開始後の時刻ｔ１におけるＡＰ１０およびＡＰ２０を表している。時刻ｔ１において、ＡＰ１０の検出部１１５は、ＡＰ１０の無線通信インタフェース１４０が対応している第１の周波数帯（例えば、２．４ＧＨｚ）を使用して、ＡＰ２０から発信されているビーコンの受信を試みる（図１１（Ａ））。検出部１１５は、第１の周波数帯のビーコンを受信できた場合、ビーコンに含まれているＵＵＩＤ（Universally Unique IDentifier）を取得し、取得したＵＵＩＤをフラッシュＲＯＭ１６０に記憶させる。なお、ＵＵＩＤは、ビーコンの送信元がＡＰ２０であることを特定するために用いられる一意な識別子である。
【００９９】
一方、検出部１１５が第１の周波数帯のビーコンを受信できない場合、図１１の検出処理を終了し、処理を図１０の複製処理のステップＳ１５４に遷移させる。
【０１００】
図１１（Ｂ）は、時刻ｔ１より後の時刻ｔ２におけるＡＰ１０およびＡＰ２０を表している。時刻ｔ２において、ＡＰ１０の検出部１１５は、ＡＰ１０の無線通信インタフェース１４０が対応している第１の周波数帯とは異なる第２の周波数帯（例えば、５ＧＨｚ）を使用して、ＡＰ２０から発信されているビーコンの受信を試みる（図１１（Ｂ））。検出部１１５は、第２の周波数帯のビーコンを受信できた場合、ビーコンに含まれるＵＵＩＤを取得する。検出部１１５は、取得したＵＵＩＤと、時刻ｔ１においてフラッシュＲＯＭ１６０に記憶させたＵＵＩＤとを比較して、ＵＵＩＤが一致するか否かを判定する。ＵＵＩＤが一致する場合、検出部１１５は、ＡＰ２０の対応周波数帯は、時刻ｔ１で検出した第１の周波数帯（２．４ＧＨｚ）と、時刻ｔ２で検出した第２の周波数帯（５ＧＨｚ）であると特定する。
【０１０１】
一方、検出部１１５が第２の周波数帯のビーコンを受信できない場合、または、ＵＵＩＤが一致しない場合、検出部１１５は、ＡＰ２０の対応周波数帯は、時刻ｔ１で検出した第１の周波数帯（２．４ＧＨｚ）であると特定する。
【０１０２】
ＡＰ１０の検出部１１５は、ＡＰ１０の無線通信インタフェース１４０が３つ以上の周波数帯に対応している場合は、対応している全ての周波数帯について時刻ｔ２と同様の処理を繰り返し実行することで、ＡＰ２０の対応周波数帯を検出する。
【０１０３】
このように、ＡＰ１０の検出部１１５は、ＡＰ２０（他の無線接続装置）から発信されるビーコンに基づいて、ＡＰ２０が対応している周波数帯を検出することができる。この結果、以降の複製処理において、ＳＴＡ側ＷＰＳ処理部１１３は、検出部１１５により検出された周波数帯に対して、無線通信に関する設定情報の取得を順次試みることができる。
【０１０４】
図１０のステップＳ２０８においてＳＴＡ側接続制御部１１４ｙは、ＡＰ２０に対して、ステップＳ２０６で検出された第１の周波数帯を使用してＷＰＳ接続を行う。この結果、ＡＰ１０とＡＰ２０との間で第１の周波数帯を使用して、上述の処理ａ１と同様の一時的な通信である「第２の無線通信」が確立される。ステップＳ１３４、Ｓ１３６においてＡＰ１０の案内部１１６は、端末３０に案内３（図７）を表示させる。
【０１０５】
ステップＳ２１０においてＡＰ２０のＡＰ側ＷＰＳ処理部２１３は、ＡＰ１０に対して、一時的な通信に使用されている周波数帯、すなわち、第１の周波数帯の無線通信に関する設定情報を送信する。ステップＳ２１０における情報の送信は、上述の処理ａ２と同様のＷＰＳ機能を利用して行われる。
【０１０６】
ステップＳ２１２においてＡＰ１０のＳＴＡ側ＷＰＳ処理部１１３は、ＡＰ２０から無線通信に関する設定情報を取得する。ＳＴＡ側ＷＰＳ処理部１１３は、取得した無線通信に関する設定情報を設定情報記憶領域１６２に保存する。ＳＴＡ側ＷＰＳ処理部１１３は、ＳＴＡ側接続制御部１１４ｙに、ＡＰ２０との間で確立した一時的な通信（第２の無線通信）を切断させた後、処理を終了する。
【０１０７】
ステップＳ２１４においてＡＰ２０のＡＰ側ＷＰＳ処理部２１３は、ＡＰ側接続制御部２１４に、ＡＰ１０との間で確立した一時的な通信（第２の無線通信）を切断させた後、処理を終了する。
【０１０８】
なお、ＷＰＳ機能の処理ａ２において、ＡＰ２０が全ての周波数帯に対応した設定情報を送信可能な場合、ステップＳ２１２においてＳＴＡ側ＷＰＳ処理部１１３は、全ての周波数帯に対応した無線通信に関する設定情報を取得することができる。この場合、ＳＴＡ側ＷＰＳ処理部１１３は、取得した無線通信に関する設定情報を設定情報記憶領域１６２に保存した後、処理をステップＳ１４４へ遷移させる。その結果、案内４が表示された後、ＡＰ１０のＳＴＡモードが終了し、ＡＰ１０は、設定情報記憶領域１６２の設定情報を適用したＡＰモードで起動する。
【０１０９】
ステップＳ２１６においてＡＰ１０のＳＴＡ側ＷＰＳ処理部１１３は、再びＷＰＳ機能を開始する。その後、ＳＴＡ側接続制御部１１４ｙは、ＡＰスキャンを実施する。
【０１１０】
ステップＳ２１８においてＡＰ１０の案内部１１６は、案内６を表示させるためのＷＥＢページの内容を端末３０へ送信する。ここで案内６とは、既存のＡＰ２０のＷＰＳを再び開始させるために、利用者にＡＰ２０の設定ボタン２２０の押下を再度促すための案内である。ステップＳ２２０において端末３０のＷＥＢブラウザ３１１は、タッチパネル３６０に、受信した案内６を表示させる。
【０１１１】
図１２は、案内６の画面の一例である。案内６の画面Ｗ６には、ＡＰ２０からＡＰ１０への無線通信に関する設定情報の複製が終了したことを示すメッセージＭＧ６１と、複製された設定情報の内容を示す項目Ｌ６１と、ＡＰ２０の設定ボタン２２０の押下を促すメッセージＭＧ６２とが配置されている。図１２の例では、項目Ｌ６１には、ＡＰ２０からＡＰ１０へ複製された無線通信に関する設定情報のうちの、第１の周波数帯の設定情報が表示されている。利用者は、項目Ｌ６１を確認することにより、ＡＰ１０の無線通信に関する設定情報のうちの、一部のみしか複製が完了していないことを知ることができる。
【０１１２】
図１０のステップＳ２２２において利用者は、画面Ｗ６のメッセージＭＧ６２に従って、ＡＰ２０の設定ボタン２２０を押下する。
【０１１３】
ステップＳ２２４において、設定ボタン２２０の押下を検出したＡＰ２０は、ＷＰＳのアクセスポイントおよびレジストラとしての動作を開始する。詳細はステップＳ２０４と同様である。
【０１１４】
ステップＳ２２６においてＡＰ１０のＳＴＡ側接続制御部１１４ｙは、ＡＰスキャンを繰り返し行い、ＡＰモードで起動されたＡＰ２０を検出する。その後、ＳＴＡ側接続制御部１１４ｙは、ＡＰ２０に対して、ステップＳ２０６で検出されたＡＰ２０の対応周波数帯のうち、ステップＳ２０８でのＷＰＳ接続に使用した周波数帯とは異なる周波数帯（すなわち、第２の周波数帯）を使用してＷＰＳ接続を行う。この結果、ＡＰ１０とＡＰ２０との間で第２の周波数帯を使用して、上述の処理ａ１と同様の一時的な通信（第２の無線通信）が確立される。ステップＳ２２８、Ｓ２３０においてＡＰ１０の案内部１１６は、端末３０に案内３（図７）を表示させる。
【０１１５】
ステップＳ２３２においてＡＰ２０のＡＰ側ＷＰＳ処理部２１３は、ＡＰ１０に対して、一時的な通信に使用されている周波数帯、すなわち、第２の周波数帯の無線通信に関する設定情報を送信する。ステップＳ２３２における情報の送信は、上述の処理ａ２と同様のＷＰＳ機能を利用して行われる。
【０１１６】
ステップＳ２３４においてＡＰ１０のＳＴＡ側ＷＰＳ処理部１１３は、ＡＰ２０から無線通信に関する設定情報を取得する。ＳＴＡ側ＷＰＳ処理部１１３は、取得した無線通信に関する設定情報を、ステップＳ２１２で取得した第１の周波数帯の設定情報とは区別して、設定情報記憶領域１６２に保存する。ＳＴＡ側ＷＰＳ処理部１１３は、ＳＴＡ側接続制御部１１４ｙに、ＡＰ２０との間で確立した一時的な通信（第２の無線通信）を切断させた後、処理を終了する。
【０１１７】
なお、ステップＳ２０６で検出されたＡＰ２０の対応周波数帯が３つ以上ある場合、ＡＰ１０が全ての周波数帯の無線通信に関する設定情報を取得するまで、上述のステップＳ２１６〜Ｓ２３４を繰り返し実行する。この結果、ステップＳ２０６で検出されたＡＰ２０の対応周波数帯がＮ個であれば、ステップＳ２１６〜Ｓ２３４の処理が（Ｎ−１）回繰り返される。
【０１１８】
全ての周波数帯の設定情報を取得後、ステップＳ２３６においてＡＰ２０のＡＰ側ＷＰＳ処理部２１３は、ＡＰ側接続制御部２１４に、ＡＰ１０との間で確立した一時的な通信（第２の無線通信）を切断させた後、処理を終了する。
【０１１９】
ステップＳ１４４、Ｓ１４６においてＡＰ１０の案内部１１６は、端末３０に案内４（図８）を表示させる。ステップＳ１４８、Ｓ１５０において、端末３０は、ＡＰ１０に対して複製処理の終了要求を送信する。ステップＳ１５２において利用者は、画面Ｗ４のメッセージＭＧ４に従って、既存のＡＰ２０の電源を落とす。ステップＳ１５４においてＡＰ１０は、ＡＰ１０のＳＴＡモードと、ＡＰ１０のＡＰモードとを終了する。これにより、ＡＰ１０と端末３０との間の第１の無線通信は切断される。ステップＳ１５６においてＡＰ１０は、設定情報記憶領域１６２の設定情報を適用したＡＰモードで起動する。
【０１２０】
このように、ＷＰＳを利用した複製処理では、新しいＡＰ１０のＳＴＡ側ＷＰＳ処理部１１３（取得部）は、既存のＡＰ２０（他の無線接続装置）が対応している複数の周波数帯の無線通信に関する設定情報を、第１の周波数帯の設定情報、第２の周波数帯の設定情報、というように、順次取得する。このため、ＡＰ２０に設定されている設定情報を、ＡＰ２０の対応周波数帯ごとに分割して取得することができる。
【０１２１】
さらに、ＷＰＳを利用した複製処理のステップＳ２０８、Ｓ２２６によれば、ＳＴＡ側接続制御部１１４ｙ（接続制御部）は、新しいＡＰ１０（無線接続装置）が既存のＡＰ２０（他の無線接続装置）に対してＷＰＳ接続する際に、ＳＴＡ側ＷＰＳ処理部１１３（取得部）が無線通信に関する設定情報を取得しようとする周波数帯を使用して接続する。このため、ＳＴＡ側ＷＰＳ処理部１１３は、ＡＰ２０が提供する方式（ＷＰＳ機能）を利用して、簡便に、無線通信に関する設定情報の取得を行うことができる。
【０１２２】
さらに、ＷＰＳを利用した複製処理のステップＳ２１８、Ｓ２２０（案内６）によれば、新しいＡＰ１０の案内部１１６は、一の周波数帯（図１０の例では第１の周波数帯）の無線通信に関する設定情報の取得が終了した後、既存のＡＰ２０（他の無線接続装置）が対応する複数の周波数帯の無線通信に関する設定情報の中で、未だ取得がされていない設定情報がある場合に、その旨を利用者へ案内することができる。この結果、利用者におけるユーザビリティを向上することができる。また、ＡＰ２０が対応している複数の周波数帯についての無線通信に関する設定情報を順次取得する構成、換言すれば、ＷＰＳを利用した複製処理を実現する構成における、設定情報の取得漏れの発生を抑制することができる。
【０１２３】
以上のようにして、ＡＯＳＳを利用した複製処理（図４）、または、ＷＰＳを利用した複製処理（図１０）が完了した後は、ネットワークシステム１の構成は図１（Ｂ）に示す構成へと変化し、利用者が使用する端末３０と、新しいＡＰ１０との無線通信が可能となる。
【０１２４】
なお、ＡＯＳＳを利用した複製処理（図４）、または、ＷＰＳを利用した複製処理（図１０）が完了した後において、新しいＡＰ１０または既存のＡＰ２０の少なくともいずれか一方に対して、以下に説明するｂ１〜ｂ８のいずれかの処理を実行させてもよい。なお、処理ｂ１〜ｂ７は組み合わせて実行されてもよい。
【０１２５】
（ｂ１）ＡＰの電源を自動的に落とす。
（ｂ２）ＡＰの電源が落とされるまでの間、ビーコンの送信を停止する。
（ｂ３）ＡＰの電源が落とされるまでの間、他のＡＰや無線端末からの問い合わせ（プローブ要求等）に基づく処理を停止する。
（ｂ４）ＡＰの電源が落とされるまでの間、他のＡＰや無線端末からの接続要求（アソシエーション要求、認証要求）に基づく処理を停止する。
（ｂ５）端末３０のタッチパネル３６０に、同一の無線通信に関する設定に基づいて動作しているＡＰが複数存在する旨の警告を表示する。
（ｂ６）ＡＰのインジケータや液晶画面等の表示装置を用いて、同一の無線通信に関する設定に基づいて動作しているＡＰが複数存在する旨の警告を表示する。
（ｂ７）ＡＰに対して予め登録されているメールアドレスに対して、同一の無線通信に関する設定に基づいて動作しているＡＰが複数存在する旨の警告文を送信する。
（ｂ８）ＡＰスキャンを実施し、自身と同じＳＳＩＤのビーコンを発信している他のＡＰを検出した場合に、上記処理ｂ１〜ｂ７のいずれかの処理を実行する。
【０１２６】
このように、処理ｂ１〜ｂ８によれば、ネットワークシステム１内において同一の無線通信に関する設定情報を持つ２つのアクセスポイント（具体的には、ＡＰ１０と、ＡＰ２０）が存在することに伴う問題の発生を回避することができる。
【０１２７】
さらに、ＡＯＳＳを利用した複製処理（図４）、または、ＷＰＳを利用した複製処理（図１０）が完了した後において、新しいＡＰ１０に対して、以下に説明するｃ１〜ｃ３のいずれかの処理を実行させてもよい。
（ｃ１）ＡＰ１０は、既存のＡＰ２０のセキュリティ設定の内容（例えば、無線通信における認証／暗号化方式の有無、または、種類）が一定のセキュリティレベルよりも低いと判断した場合、設定情報記憶領域１６２に保存した無線通信に関する設定情報を、利用者からの指示があるまで有効にしない。利用者からの指示は、例えば、ＨＴＴＰ（HyperText Transfer Protocol）等の手段により提供されるＡＰ１０の設定画面を介して与えられてもよい。このようにすれば、ＡＰ１０の利用者は、既存のＡＰ２０から複製した無線通信に関する設定情報のセキュリティレベルを確認した上で、設定情報を有効にすることができる。
（ｃ２）既存のＡＰ２０のセキュリティ設定の内容（例えば、無線通信における認証／暗号化方式の有無、または、種類）が一定のセキュリティレベルよりも低いと判断した場合であっても、ネットワークシステム１に属する無線端末（例えば端末３０）において対応可能な認証／暗号化方式の種類が、上記「一定のセキュリティレベル」に到達しない場合、ＡＰ１０は、利用者からの指示に依らずとも、設定情報記憶領域１６２に保存した無線通信に関する設定情報を、即時有効にしてもよい。
（ｃ３）ＡＰ１０は、図４のステップＳ１４０、または、図１０のステップＳ２１２、Ｓ２３４において、既存のＡＰ２０のセキュリティ設定の内容（例えば、無線通信における認証／暗号化方式の有無、または、種類）が一定のセキュリティレベルよりも低いと判断した場合に、当該無線通信に関する設定情報の設定情報記憶領域１６２への保存を省略してもよい。
【０１２８】
このように、処理ｃ１〜ｃ３によれば、ＡＰ１０は、ＡＰ２０のセキュリティに関する設定内容に応じて、取得された設定情報の記憶と、取得された設定情報を用いた起動と、のうちの少なくともいずれか一方を省略することができる。このため、ＡＰ２０のセキュリティが低い場合などに、当該ＡＰ２０の設定情報がＡＰ１０にそのまま適用されることを抑制することができる。
【０１２９】
以上のように、第１実施形態によれば、ＡＰ１０（無線接続装置）のＳＴＡ側ＡＯＳＳ処理部１１２またはＳＴＡ側ＷＰＳ処理部１１３（取得部）は、新しいＡＰ１０と既存のＡＰ２０（他の無線接続装置）との間の第２の無線通信Ｃ２を介して、ＡＰ２０に設定されている無線通信に関する設定情報を取得する。また、ＡＰ１０の案内部１１６は、ＡＰ１０と端末３０（無線端末）との間の第１の無線通信Ｃ１を介して、端末３０に対する案内（案内１〜６）を送信する。また、取得されたＡＰ２０の設定情報は、ＡＰ１０に予め設定されている無線通信に関する設定情報、すなわち、プリセット設定情報１６１に記憶されている設定情報とは区別して記憶される。このため、新しいＡＰ１０は、既存のＡＰ２０から無線通信に関する設定情報を取得する前後において、一貫して、端末３０に対する案内１〜６に使用される第１の無線通信用の設定情報（プリセット設定情報１６１）を維持することができる。従って、ＡＰ２０に設定されている無線通信に関する設定情報を複製することが可能なＡＰ１０において、端末３０を利用した案内を提供することができる。
【０１３０】
さらに、第１実施形態によれば、ＡＰ１０の案内部１１６は、端末３０（無線端末）から受信した任意のインターネット接続要求に対して、アドレスを差し替えた応答を返すことによって、案内１〜６に示した一連の案内、すなわち、複製処理に関する案内を開始する。このため、端末３０の利用者に特別な操作を要求することなく、インターネット接続のためのありふれた操作をトリガとして端末３０への案内を開始することができる。この結果、ＡＰ１０（無線接続装置）は、第１の無線通信を使用した端末３０への案内を、より確実に実施することができる。
【０１３１】
さらに、第１実施形態によれば、ＡＰ１０の案内部１１６は、複製処理の要所において、複製処理を開始させるための案内１と、接続（ＡＯＳＳ接続、ＷＰＳ接続）のための案内２、６と、無線通信に関する設定情報の取得のための案内３、４、６と、を表示させるためのＷＥＢページを端末３０へ送信する。この結果、案内部１１６は、既存のＡＰ２０（他の無線接続装置）からの無線通信に関する設定情報の取得に関する対話型の案内を実現することができる。この結果、端末３０（無線端末）の利用者におけるユーザビリティをより向上させることができる。さらに、第１実施形態（図４、図１０のステップＳ１０２）によれば、利用者は、ＡＰ１０（無線接続装置）に直接触れる形態を利用して、ＡＰ１０を既存のＡＰ２０（他の無線接続装置）に接続させることができる。さらに、第１実施形態（図４、図１０のステップＳ１５６）によれば、ＡＰ１０（無線接続装置）は、無線通信に関する設定情報の取得が終了後、自動的に、取得された設定情報を用いてアクセスポイントとして起動することができる。
【０１３２】
Ｂ．第２実施形態：
本発明の第２実施形態では、第１実施形態で説明した複製処理、すなわち、既存のＡＰに設定されている「無線通信に関する設定情報」を新しいＡＰへ複製する複製処理において、さらに、既存のＡＰに設定されている「他の設定情報」を新しいＡＰへ複製することが可能な構成について説明する。以下では、第１実施形態と異なる構成および動作を有する部分についてのみ説明する。なお、図中において第１実施形態と同様の構成部分については先に説明した第１実施形態と同様の符号を付し、その詳細な説明を省略する。
【０１３３】
Ｂ−１．システムの概略構成：
図１３は、第２実施形態におけるネットワークシステムの概略構成の変化を示す説明図である。図１に示した第１実施形態との主たる違いは、ＡＰ１０に代えてＡＰ１０ａを備える点である。本実施形態では、現在運用中である既存のＡＰ２０から、新しいＡＰ１０ａへの置換を行う場面を想定する。
【０１３４】
図１３（Ａ）は、既存のＡＰ２０から新しいＡＰ１０ａへ置換する前のネットワークシステム１ａの概略構成を表している。図１３（Ａ）の構成は、図１で説明した第１実施形態と同様である。本実施形態の複製処理では、図１３（Ａ）に示す構成において、既存のＡＰ２０に設定されている「無線通信に関する設定情報」と、「他の設定情報」との両方を、自動的に新しいＡＰ１０ａへ複製することができる。複製の完了後、既存のＡＰ２０から新しいＡＰ１０ａへの置換が行われる。図１３（Ｂ）は、既存のＡＰ２０から新しいＡＰ１０ａへ置換した後のネットワークシステム１ａの概略構成を表している。置換完了後は、ネットワークシステム１ａの構成は図１３（Ｂ）に示す構成へと変化し、利用者の端末３０は新しいＡＰ１０ａとの無線通信、および、新しいＡＰ１０ａを介したインターネットＩＮＴへの通信が可能となる。
【０１３５】
Ｂ−２．ＡＰの概略構成：
図１４は、ＡＰ１０ａとＡＰ２０との構成を機能的に示すブロック図である。図１４（Ａ）はＡＰ１０ａの構成を示し、図１４（Ｂ）はＡＰ２０の構成を示している。図２に示した第１実施形態との違いは、ＡＰ１０ａが、ＣＰＵ１１０に代えてＣＰＵ１１０ａを備える点と、フラッシュＲＯＭ１６０に代えてフラッシュＲＯＭ１６０ａを備える点である。
【０１３６】
ＣＰＵ１１０ａは、ＳＴＡ側ＡＯＳＳ処理部１１２に代えてＳＴＡ側ＡＯＳＳ処理部１１２ａを備え、ＳＴＡ側ＷＰＳ処理部１１３に代えてＳＴＡ側ＷＰＳ処理部１１３ａを備え、案内部１１６に代えて案内部１１６ａを備えている。ＳＴＡ側ＡＯＳＳ処理部１１２ａは、ＡＯＳＳを利用した複製処理の処理内容が、図４に示した第１実施形態とは異なる。ＳＴＡ側ＷＰＳ処理部１１３ａは、ＷＰＳを利用した複製処理の処理内容が、図１０に示した第１実施形態とは異なる。案内部１１６ａは、ＡＯＳＳを利用した複製処理またはＷＰＳを利用した複製処理における案内の内容が、図４または図１０に示した第１実施形態と一部異なる。
【０１３７】
フラッシュＲＯＭ１６０ａは、プリセット設定情報１６１と、設定情報記憶領域１６２とに加えてさらに、他の設定情報記憶領域１６４を備えている。他の設定情報記憶領域１６４は、複製処理においてＡＰ２０から取得した他の設定情報を記憶させるための領域である。
【０１３８】
Ｂ−３．端末の概略構成：
第２実施形態における端末３０の概略構成は、図３に示した第１実施形態と同様である。
【０１３９】
Ｂ−４．複製処理：
Ｂ−４−１．ＡＯＳＳを利用した複製処理：
第２実施形態におけるＡＯＳＳを利用した複製処理において、ＡＰ１０ａは、第１実施形態のＡＯＳＳを利用した複製処理（図４）のステップＳ１４０の「一時的な通信の切断」の終了後に、以降に説明する他の設定情報の取得処理を実行する。他の設定情報の取得処理の終了後、ＡＰ１０ａは、図４のステップＳ１４４に戻って処理を継続する。
【０１４０】
Ｂ−４−２．ＷＰＳを利用した複製処理：
第２実施形態におけるＷＰＳを利用した複製処理において、ＡＰ１０ａは、第１実施形態のＷＰＳを利用した複製処理（図１０）のステップＳ２３４の「一時的な通信」の終了後に、以降に説明する他の設定情報の取得処理を実行する。他の設定情報の取得処理の終了後、ＡＰ１０ａは、図１０のステップＳ１４４に戻って処理を継続する。
【０１４１】
Ｂ−４−３．他の設定情報の取得処理：
図１５は、他の設定情報の取得処理の手順を示すシーケンス図である。他の設定情報の取得処理の手順は、ＡＯＳＳを利用した複製処理と、ＷＰＳを利用した複製処理との両方に共通である。このため、以降では、ＡＯＳＳを利用した複製処理に適用された場合を例示して説明する。ＷＰＳを利用した複製処理において本処理を適用する場合は、文中の「ＳＴＡ側ＡＯＳＳ処理部１１２ａ」との記載を「ＳＴＡ側ＷＰＳ処理部１１３ａ」との記載に読み替える。
【０１４２】
ステップＳ３０２においてＡＰ１０ａのＳＴＡ側接続制御部１１４ｙは、複製処理において取得した無線通信に関する設定情報を使用して、ＡＰ２０へ接続する。ＡＰ１０ａのＳＴＡ側ＡＯＳＳ処理部１１２ａは、ＡＰ２０に対して、他の設定情報の要求を送信する。
【０１４３】
ステップＳ３０４においてＡＰ２０の認証処理部２１５は、ＡＰ１０ａの正当性および権限を認証するために、認証情報を要求する。
【０１４４】
ステップＳ３０６においてＡＰ１０ａの案内部１１６ａは、案内７を表示させるためのＷＥＢページの内容を端末３０へ送信する。ここで案内７とは、既存のＡＰ２０による認証のために、利用者に認証情報の入力を促すための案内である。ステップＳ３０８において端末３０のＷＥＢブラウザ３１１は、タッチパネル３６０に、受信した案内７を表示させる。
【０１４５】
図１６は、案内７の画面の一例である。案内７の画面Ｗ７には、認証情報の入力を促すメッセージＭＧ７と、ユーザ名入力欄Ｔ７１と、パスワード入力欄Ｔ７２と、入力しないで続けるボタンＢ７１と、次へボタンＢ７２とが配置されている。
【０１４６】
図１５のステップＳ３１０において利用者は、画面Ｗ７のユーザ名入力欄Ｔ７１に既存のＡＰ２０のユーザ名を入力し、パスワード入力欄Ｔ７２にＡＰ２０のパスワードを入力し、次へボタンＢ７２を押下する。ステップＳ３１２において、次へボタンＢ７２の押下を検出した端末３０のＷＥＢブラウザ３１１は、ユーザ名入力欄Ｔ７１とパスワード入力欄Ｔ７２との入力内容を、認証情報としてＡＰ１０ａへ送信する。なお、入力しないで続けるボタンＢ７１の押下を検出した場合、端末３０のＷＥＢブラウザ３１１は、ＡＰ１０ａへ他の設定情報の取得処理（図１５）の終了要求を送信する。終了要求を受信したＡＰ１０ａは、図１５の処理を終了させる。
【０１４７】
ステップＳ３１４においてＡＰ１０ａのＳＴＡ側ＡＯＳＳ処理部１１２ａは、取得した認証情報の候補をＡＰ２０へ送信する。
【０１４８】
ステップＳ３１６においてＡＰ２０の認証処理部２１５は、受信した認証情報を用いて、ＡＰ１０ａに対する認証処理を実行する。具体的には、認証処理部２１５は、受信した認証情報が、予めフラッシュＲＯＭ２６０に記憶されている認証情報と一致するか否かを判定することで認証を行う。ステップＳ３１８においてＡＰ２０の認証処理部２１５は、認証処理の結果（成功／失敗）をＡＰ１０ａへ送信する。
【０１４９】
認証処理の結果が「成功」であった場合、ステップＳ３２０においてＡＰ１０ａのＳＴＡ側ＡＯＳＳ処理部１１２ａは、ＡＰ２０に対して、他の設定情報の要求を送信する。一方、認証処理の結果が「失敗」であった場合、ＡＰ１０ａのＳＴＡ側ＡＯＳＳ処理部１１２ａは、処理をステップＳ３０６へ遷移させ、利用者に再び認証情報の入力を求める。
【０１５０】
ステップＳ３２２において認証処理部２１５は、他の設定情報２６２の内容をＡＰ１０ａへ送信する。
【０１５１】
ステップＳ３２４においてＡＰ１０ａのＳＴＡ側ＡＯＳＳ処理部１１２ａは、ＡＰ２０から他の設定情報を取得する。ＳＴＡ側ＡＯＳＳ処理部１１２ａは、取得した他の設定情報を他の設定情報記憶領域１６４に保存し、処理を終了する。
【０１５２】
本実施形態では、他の設定情報記憶領域１６４に保存された設定情報は、ＡＯＳＳを利用した複製処理（図４）、または、ＷＰＳを利用した複製処理（図１０）のステップＳ１５６において、即時有効にされる。
【０１５３】
以上のように、第２実施形態によれば、上記第１実施形態の効果に加えて、さらに次の効果を奏する。ＳＴＡ側ＡＯＳＳ処理部１１２ａまたはＳＴＡ側ＷＰＳ処理部１１３ａ（取得部）は、第１の無線通信を介して端末３０（無線端末）から取得した認証情報（ユーザＩＤとパスワードの組）を用いて、ＡＰ２０（他の無線接続装置）から、無線通信に関する設定情報以外の、他の設定情報を取得することができる。この結果、無線通信に関する設定情報だけでなく、他の設定情報をも複製可能なＡＰ１０ａ（無線接続装置）を提供することが可能となり、利用者におけるユーザビリティをより一層向上させることができる。
【０１５４】
Ｃ．変形例：
上記実施形態において、ハードウェアによって実現されるとした構成の一部をソフトウェアに置き換えるようにしてもよく、逆に、ソフトウェアによって実現されるとした構成の一部をハードウェアに置き換えるようにしてもよい。その他、以下のような変形も可能である。
【０１５５】
・変形例１：
上記実施形態では、ネットワークシステムの一例を挙げた。しかし、上記実施形態におけるネットワークシステムの構成はあくまで一例であり、種々の変更が可能である。例えば、構成要素の一部を省略したり、更なる構成要素を付加したり、構成要素の一部を変更したりする変形が可能である。
【０１５６】
例えば、ネットワークシステムは、例えば、ルータ、スイッチ、モデム、ハブ等のネットワーク通信機器や、パーソナルコンピュータ、携帯電話、ＰＤＡ（Personal Digital Assistants）等のモバイル機器や、デジタルカメラ、プリンタ、ネットワークディスプレイ、スキャナ等の画像入出力機器や、オーディオ、テレビ等のＡＶ機器や、冷蔵庫、空調機、テレビ等の家電製品や、ＮＡＳ（Network Attached Storage）等の他の装置を備える構成としてもよい。
【０１５７】
・変形例２：
上記実施形態では、無線接続装置と、他の無線接続装置と、無線端末と、の構成の一例を挙げた。しかし、上記実施形態における構成はあくまで一例であり、種々の変更が可能である。例えば、構成要素の一部を省略したり、更なる構成要素を付加したり、構成要素の一部を変更したりする変形が可能である。
【０１５８】
例えば、無線接続装置および他の無線接続装置に設けられる設定ボタンは、利用者が直接触れる形態で、あるいは、無線接続装置近傍からの近距離通信の形態で、あるいは、無線接続装置が提供する情報コードをクライアントに内蔵されたカメラで撮影する形態で、無線接続装置に処理の開始指示を与えられる入力手段として構成されている限りにおいて、種々の態様を採用することができる。無線接続装置がディスプレイを備えている場合には、ＧＵＩ（Graphical User Interface）により実現されてもよい。無線接続装置と無線通信可能なモバイル機器（スマートフォン等）のＧＵＩを利用して実現されてもよい。赤外線通信や、接触型または非接触型のＩＣカードを利用して実現されてもよい。ＱＲコード（登録商標）やバーコード、ホログラム等の情報コードを利用して実現されてもよい。このようにすれば、悪意のある第三者が、利用者の意図に反して無線接続装置に複製処理の開始指示を与えることを抑制することができ、通信情報や暗号化情報が漏洩することを抑制することができる。
【０１５９】
例えば、無線通信インタフェースが対応している周波数帯は、３つ以上であってもよい。対応している周波数帯として２．４ＧＨｚと、５ＧＨｚとを例示したが、これらに限られない。例えば、無線通信インタフェースは、６０ＧＨｚなど、その他の周波数帯に対応していてもよい。
【０１６０】
例えば、無線接続装置や他の無線接続装置は、ルータとしての機能を持たなくてもよい。また、例えば、他の無線接続装置において、ＡＰ側ＡＯＳＳ処理部と、ＡＰ側ＷＰＳ処理部とは、いずれか一方を省略してもよい。また、例えば、無線接続装置と他の無線接続装置とにおいて、有線通信インタフェースは省略してもよい。
【０１６１】
例えば、無線接続装置と他の無線接続装置とにおいて、フラッシュＲＯＭは異なる記憶媒体で構成されていてもよい。例えば、無線接続装置と他の無線接続装置とは、フラッシュＲＯＭに代えて、ＵＳＢメモリやＵＳＢハードディスク等の着脱可能な記憶媒体を備えていてもよい。また、例えば、上記実施形態においてフラッシュＲＯＭに記憶されると説明した情報は、複数の記憶媒体に分散されて記憶されていてもよい。
【０１６２】
例えば、無線端末の表示部の例として、液晶画面等の表示装置と、タッチパッド等の入力情報取得装置とが積層されたタッチパネルを挙げた。しかし、無線端末の表示部は、表示装置と入力情報取得装置とが別に設けられていてもよい。
【０１６３】
・変形例３：
上記実施形態では、複製処理（ＡＯＳＳを利用した複製処理、ＷＰＳを利用した複製処理）の一例を示した。しかし、上記実施形態における処理の手順はあくまで一例であり、種々の変形が可能である。例えば、一部のステップを省略してもよいし、更なる他のステップを追加してもよい。また、実行されるステップの順序を変更してもよい。
【０１６４】
例えば、複製処理に関する案内１〜６のうち、任意のいずれかの案内は省略してもよい。また、複製処理に関する案内１〜６に代えて、または案内１〜６と共に、無線接続装置が備える液晶画面等の表示装置、インジケータ、音声、等を用いた案内を実施してもよい。
【０１６５】
例えば、上記実施形態では、他の無線接続装置が提供する方式であって、無線通信のクライアントとして接続されている装置に対して無線通信に関する設定情報を送信することで、クライアントへの無線通信の設定を実施する方式の例として、ＡＯＳＳとＷＰＳとを例示した。しかし、無線接続装置が実施する複製処理においては、ＡＯＳＳやＷＰＳ以外の方式を利用することも可能である。
【０１６６】
例えば、複製処理を開始させるために設定ボタンを押下する対象となる装置を、無線接続装置と、他の無線接続装置とのいずれかとしてもよい。この場合、設定ボタンの押下を検出した側の装置（一方の装置）が、他方の装置に対して、複製処理の開始要求を送信することで、無線接続装置と、他の無線接続装置との両装置において複製処理を開始させることができる。複製処理の開始要求は、一方の装置から他方の装置へ送信される接続要求（アソシエーション要求、認証要求）の特定領域に含まれていてもよいし、単独の要求であってもよい。
【０１６７】
・変形例４：
上記実施形態では、他の設定情報の取得処理の一例を示した。しかし、上記実施形態における処理の手順はあくまで一例であり、種々の変形が可能である。例えば、一部のステップを省略してもよいし、更なる他のステップを追加してもよい。また、実行されるステップの順序を変更してもよい。
【０１６８】
例えば、認証情報として、ユーザＩＤとパスワードの組み合わせに代えて、無線接続装置の販売時に添付（製品パッケージに同梱または記載等）されているＩＤカードに記載のＰＩＮ番号の、一部または全部を利用してもよい。なお、ＰＩＮ番号とは、無線接続装置の正当な利用者であることを判定するために用いられる暗証番号を示す文字列である。また、認証情報として、ユーザＩＤとパスワードの組み合わせと、ＰＩＮ番号の一部または全部と、の両方を併用してもよい。さらに、アクセスポイントがクライアント装置に対して無線通信に関する設定情報を送信する際に、アクセスポイントの情報をクライアント装置へ通知する態様で認証情報の受け渡しをしてもよい。この場合、認証情報に対して一時的に有効であるという制限を付してもよい。
【０１６９】
・変形例５：
上記実施形態では、複製処理（ＡＯＳＳを利用した複製処理、ＷＰＳを利用した複製処理）および他の設定情報の取得処理における案内画面の一例を示した。しかし、上記実施形態における画面はあくまで一例であり、種々の変形が可能である。例えば、一部の項目を省略してもよいし、項目の名称やレイアウトを変更してもよい。また、項目を追加してもよい。
【０１７０】
例えば、第２実施形態の案内４（既存の無線接続装置から新しい無線接続装置への無線通信に関する設定情報の複製が終了したことを通知するための案内）では、複製された無線通信に関する設定情報の内容（項目Ｌ４１、Ｌ４２）に加えてさらに、複製された他の設定情報の内容を案内してもよい。そうすれば、利用者は、他の無線接続装置から新しい無線接続装置へどのような情報が複製されたかを全て把握することができる。
【０１７１】
・変形例６：
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部または全部を解決するために、あるいは、上述の効果の一部または全部を達成するために、適宜、差し替えや組み合わせを行うことが可能である。また、その技術的特徴が本明細書中に必須なものとして説明されていなければ、適宜、削除することが可能である。
【符号の説明】
【０１７２】
１、１ａ…ネットワークシステム、１０、１０ａ…無線接続装置（ＡＰ）、２０…他の無線接続装置（ＡＰ）、３０…端末、１１０、１１０ａ…ＣＰＵ、１１１…中継処理部、１１２、１１２ａ…ＳＴＡ側ＡＯＳＳ処理部、１１３、１１３ａ…ＳＴＡ側ＷＰＳ処理部、１１４…接続制御部、１１４ｘ…ＡＰ側接続制御部、１１４ｙ…ＳＴＡ側接続制御部、１１５…検出部、１１６、１１６ａ…案内部、１２０…設定ボタン、１４０…無線通信インタフェース、１５０…有線通信インタフェース、１６１…プリセット設定情報、１６２…設定情報記憶領域、１６４…他の設定情報記憶領域、２１０…ＣＰＵ、２１１…中継処理部、２１２…ＡＰ側ＡＯＳＳ処理部、２１３…ＡＰ側ＷＰＳ処理部、２１４…ＡＰ側接続制御部、２１５…認証処理部、２２０…設定ボタン、２４０…無線通信インタフェース、２５０…有線通信インタフェース、２６１…設定情報、２６２…設定情報、３１０…ＣＰＵ、３１１…ＷＥＢブラウザ、３１２…ＳＴＡ側接続制御部、３４０…無線通信インタフェース、３５０…移動体通信網通信インタフェース、３６０…タッチパネル、３７０…音声通信部、ＩＮＴ…インターネット
【図１】
2018042290.tif 000003
【図２】
2018042290.tif 000004
【図３】
2018042290.tif 000005
【図４】
2018042290.tif 000006
【図５】
2018042290.tif 000007
【図６】
2018042290.tif 000008
【図７】
2018042290.tif 000009
【図８】
2018042290.tif 000010
【図９】
2018042290.tif 000011
【図１０】
2018042290.tif 000012
【図１１】
2018042290.tif 000013
【図１２】
2018042290.tif 000014
【図１３】
2018042290.tif 000015
【図１４】
2018042290.tif 000016
【図１５】
2018042290.tif 000017
【図１６】
2018042290.tif 000018
【手続補正書】
【提出日】平成29年12月27日(2017.12.27)
【手続補正１】
【補正対象書類名】特許請求の範囲
【補正対象項目名】全文
【補正方法】変更
【補正の内容】
【特許請求の範囲】
【請求項１】
無線接続装置と、無線端末と、他の無線接続装置と、を備えるネットワークシステムにおいて、前記無線端末を利用して、前記無線接続装置に対して前記他の無線接続装置の無線通信に関する設定を複製するネットワークシステムであって、
前記無線端末は、
前記無線端末を第１の無線通信のクライアントとして前記無線接続装置へ接続させるための子機接続制御部と、
表示部と、を備え、
前記他の無線接続装置は、
前記他の無線接続装置を第２の無線通信のアクセスポイントとして前記無線接続装置へ接続させるための親機接続制御部と、
前記他の無線接続装置に前記第２の無線通信のクライアントとして接続されている装置に対して、無線通信に関する設定情報を送信することで前記第２の無線通信のクライアントへの無線通信の設定を実施する設定処理部を備え、
前記無線接続装置は、
前記無線接続装置に予め設定されている無線通信に関する設定情報を用いて、前記無線接続装置を、前記第１の無線通信のアクセスポイントとして、前記第１の無線通信のクライアントとしての前記無線端末に接続させるための第１の接続制御部と、
前記無線接続装置を、前記第２の無線通信のクライアントとして、前記第２の無線通信のアクセスポイントとしての他の無線接続装置に接続させるための第２の接続制御部と、
前記第２の無線通信を介して、前記他の無線接続装置に設定されている前記設定情報を取得する取得部と、
前記取得された設定情報を、前記無線接続装置に予め設定されている前記設定情報とは区別して記憶する記憶部と、
前記第１の無線通信を介して、前記取得に関する案内であって、前記無線端末の前記表示部に表示させるための案内を、前記無線端末に対して送信する案内部と、を備える、ネットワークシステム。
【請求項２】
無線接続装置であって、
前記無線接続装置に予め設定されている無線通信に関する設定情報を用いて、前記無線接続装置を、第１の無線通信のアクセスポイントとして、前記第１の無線通信のクライアントとしての無線端末に接続させるための第１の接続制御部と、
前記無線接続装置を、第２の無線通信のクライアントとして、前記第２の無線通信のアクセスポイントとしての他の無線接続装置に接続させるための第２の接続制御部と、
前記第２の無線通信を介して、前記他の無線接続装置に設定されている無線通信に関する設定情報を取得する取得部と、
前記取得された設定情報を、前記無線接続装置に予め設定されている前記設定情報とは区別して記憶する記憶部と、
前記第１の無線通信を介して、前記取得に関する案内を前記無線端末へ送信する案内部と、
を備える、無線接続装置。
【請求項３】
請求項２に記載の無線接続装置であって、
前記第１の接続制御部は、所定のトリガに応じて特殊な無線標識を発信することで、前記無線端末による前記第１の無線通信への前記接続を誘導する、無線接続装置。
【請求項４】
請求項２または請求項３に記載の無線接続装置であって、
前記案内部は、前記無線端末から受信した任意のインターネット接続要求に対して、アドレスを差し替えた応答を返すことによって、前記案内の送信を開始する、無線接続装置。
【請求項５】
請求項２から請求項４のいずれか一項に記載の無線接続装置であって、
前記取得部は、前記他の無線接続装置が対応している全ての周波数帯の前記設定情報を一時に取得する、無線接続装置。
【請求項６】
請求項２から請求項４のいずれか一項に記載の無線接続装置であって、
前記取得部は、前記他の無線接続装置が対応している複数の周波数帯の前記設定情報を順次取得する、無線接続装置。
【請求項７】
請求項６に記載の無線接続装置であって、さらに、
前記他の無線接続装置から発信される無線標識に基づいて、前記他の無線接続装置が対応している前記周波数帯を検出する検出部を備える、無線接続装置。
【請求項８】
請求項６または請求項７のいずれか一項に記載の無線接続装置であって、
前記第２の接続制御部は、前記第２の無線通信への前記接続の際に、前記取得部が前記設定情報を取得する周波数帯を使用する、無線接続装置。
【請求項９】
請求項２から請求項８のいずれか一項に記載の無線接続装置であって、
前記案内部は、前記取得に関する対話型の案内を順次送信する、無線接続装置。
【請求項１０】
請求項２から請求項９のいずれか一項に記載の無線接続装置であって、
前記第２の接続制御部は、利用者が前記無線接続装置に直接触れる形態または近距離無線通信の形態で与えられる所定のトリガに応じて、前記無線接続装置を、前記第２の無線通信のクライアントとして前記他の無線接続装置に接続させる、無線接続装置。
【請求項１１】
請求項２から請求項１０のいずれか一項に記載の無線接続装置であって、
前記無線接続装置は、前記取得部による前記設定情報の取得が終了した後に、前記取得された設定情報を用いてアクセスポイントとして起動する、無線接続装置。
【請求項１２】
請求項２から請求項１０のいずれか一項に記載の無線接続装置であって、
前記無線接続装置は、前記取得部による前記設定情報の取得が完了した後であって、前記無線接続装置の電源が再投入されるまでの間における、無線標識の発信と、前記他の無線接続装置や前記無線端末からの問い合わせに基づく処理と、前記他の無線接続装置や前記無線端末からの接続要求に基づく処理と、のうちの少なくともいずれかを停止する、無線接続装置。
【請求項１３】
無線通信に関する設定情報を複製する方法であって、
無線接続装置に予め設定されている無線通信に関する設定情報を用いて、前記無線接続装置を、第１の無線通信のアクセスポイントとして、前記第１の無線通信のクライアントとしての無線端末に接続させる工程と、
前記無線接続装置を、第２の無線通信のクライアントとして、前記第２の無線通信のアクセスポイントとしての他の無線接続装置に接続させる工程と、
前記第２の無線通信を介して、前記無線接続装置が、前記他の無線接続装置に設定されている無線通信に関する設定情報を取得する工程と、
前記取得された設定情報を、前記無線接続装置において、前記無線接続装置に予め設定されている前記設定情報とは区別して記憶する工程と、
前記第１の無線通信を介して、前記取得に関する案内を前記無線接続装置から前記無線端末へ送信する工程と、
を備える、方法。